(57)【特許請求の範囲】
【請求項１】
複数階を有する建物の各階毎に設けられ、その階にある各部屋に対応して設けた鍵収容部と、カードリーダとを備える複数のキー保管ボックスと、
前記建物の各階の共用部における人の出入りを監視する防犯装置の動作を制御する防犯監視盤と、
前記建物の共用エントランス部に設置した通用口の扉を施解錠する通用口用カードリーダと、を接続した防犯監視用システムであって、
前記通用口用カードリーダは、
ＩＤカードが差し込まれると、そのＩＤカードから読み取られたＩＤコードを、前記複数のキー保管ボックスの各々に送信する一方、
前記複数のキー保管ボックスのいずれかから、前記共用エントランス部の通用口に設けられた扉を解錠させる電気錠解錠信号を受信すると、前記扉を解錠し、
前記建物の各階に設置された複数のキー保管ボックスの各々は、
そのキー保管ボックスに設けられているカードリーダに読み込ませたＩＤカードの登録を確認すれば、その登録が確認されたＩＤコードに対応した鍵収容部のみ解錠させて、そのＩＤコードに対応する部屋の鍵の出し入れを可能とする一方、
全ての鍵収容部に鍵が収容され施錠されたときには、前記防犯監視盤に、全ての鍵収容部に鍵が返却されたという階警戒セット信号を送信し、
前記通用口用カードリーダから送信されてきた、前記通用口用カードリーダが前記ＩＤカードから読み取ったＩＤコードの登録を確認して、
当該ＩＤコードの登録を確認した場合には、前記電気錠解錠信号を前記通用口用カードリーダに送信するとともに、前記階警戒セット信号を解除する階警戒解除セット信号を前記防犯監視盤に送信し、
前記防犯監視盤は、
前記複数のキー保管ボックスのいずれかから前記階警戒セット信号を受信すると、
前記階警戒セット信号を送信したキー保管ボックスが設けられている階の共用部に設けられた防犯装置を警戒状態にする一方、
前記複数のキー保管ボックスのいずれかから、前記階警戒解除セット信号を受信すると、
前記階警戒解除セット信号を送信したキー保管ボックスが設けられている階の共用部に設けられた防犯装置を警戒解除状態にするようになっている、防犯監視用システム。
【請求項２】
前記各階に設けられた複数キー保管ボックスの各々は、全ての鍵収容部に鍵が返却された状態になると、前記階警戒セット信号を、所定時間経過してから、前記防犯監視盤に送信するようになっている、請求項１に記載の防犯監視用システム。
【請求項３】
前記複数のキー保管ボックスの各々は、
前記通用口用カードリーダから、前記通用口用カードリーダが前記ＩＤカードから読み取ったＩＤコードを受信すると、そのＩＤコードを前記複数のキー保管ボックスの各々の記憶手段に予め記憶されているＩＤコードと比較し、前記記憶手段に予め記憶されているＩＤコードが一致すると判断してから、一定時間が経過しても、前記ＩＤコードに対応する鍵収容部から鍵が取り出されないときには、再び、前記階警戒セット信号を前記防犯監視盤に送信し、
前記防犯監視盤は、
前記複数のキー保管ボックスのいずれかから、前記階警戒セット信号を受信すると、
前記階警戒セット信号を送信したキー保管ボックスが設けられている階の共用部に設けられた防犯装置を、再び、警戒状態にするようにした、請求項１又は請求項２に記載の防犯監視用システム。
【請求項４】
前記通用口用カードリーダに、前記複数階を有する建物の各階に対応させた、前記複数階を有する建物の各階の共用部の防犯装置の各々の動作状態を表示する表示部を設けた、請求項１〜３のいずれかに記載の防犯監視用システム。
【請求項５】
前記防犯監視盤は、更に、前記建物の各部屋に設けられた防犯装置の警戒、警戒解除の設定制御ができるようにされており、
前記複数のキー保管ボックスの各々は、
各々に設けられているカードリーダにＩＤカードを差し込むことで読み取られたＩＤコードの登録が確認された後、所定時間内に、対応する鍵収容部を解錠させて鍵が取り出されると、前記ＩＤコードに対応する鍵収容部から鍵が取り出されたという個別警戒解除セット信号を前記防犯監視盤に送信し、且つ、
各々に設けられている鍵収容部に鍵が返却されると、鍵収容部に鍵が返却されたという信号を前記防犯監視盤に送信し、
前記防犯監視盤は、
前記複数のキー保管ボックスのいずれから、前記個別警戒解除セットを受信すると、鍵が取り出された鍵収容部に対応する部屋の防犯装置を警戒解除状態にし、
前記複数のキー保管ボックスのいずれかから、前記鍵収容部に鍵が返却されたという個別警戒セット信号を受信すると、鍵が返却された鍵収容部に対応する部屋の防犯装置を警戒状態にする、請求項１〜４のいずれかに記載の防犯監視用システム。
【請求項６】
前記複数階を有する建物は、更に、
前記建物の各階の共用部の照明装置の点灯・消灯を制御する照明装置制御盤を備え、
前記複数のキー保管ボックスの各々の中、前記通用口用カードリーダから、前記通用口用カードリーダがＩＤカードから読み取ったＩＤコードの登録を確認したキー保管ボックスは、前記照明装置制御盤に、前記階警戒セット信号を解除する階警戒解除セット信号を送信し、
前記照明装置制御盤は、
前記複数のキー保管ボックスのいずれかから、前記階警戒解除セット信号を受信すると、
前記階警戒解除セット信号を送信してきたキー保管ボックスが設置されている階の共用部の照明装置を点灯し、且つ、
前記各階に設けられた複数キー保管ボックスの各々は、全ての鍵収容部に鍵が返却された状態になると、前記階警戒セット信号を前記照明装置制御盤に送信し、
前記照明装置制御盤は、前記複数キー保管ボックスのいずれかから、前記階警戒セット信号を受信すると、
前記階警戒セット信号を発信したキーボックが設けられている階の共用部に設けられた照明装置を消灯状態にするようになっている、請求項１〜５のいずれかに記載の防犯監視用システム。
【請求項７】
前記複数のキー保管ボックスの各々は、
前記通用口用カードリーダから、前記通用口用カードリーダが前記ＩＤカードから読み取ったＩＤコードを受信すると、そのＩＤコードを前記複数のキー保管ボックスの各々の記憶手段に予め記憶されているＩＤコードと比較し、前記記憶手段に予め記憶されているＩＤコードが一致すると判断してから、一定時間が経過しても、前記ＩＤコードに対応する鍵収容部から鍵が取り出されないときには、再び、前記階警戒セット信号を前記照明装置制御盤に送信し、
前記照明制御盤は、
前記複数のキー保管ボックスのいずれかから、前記階警戒セット信号を受信すると、
前記階警戒セット信号を送信したキー保管ボックスが設けられている階の共用部に設けられた照明装置を、再び、消灯状態にするようにした、請求項６に記載の防犯監視用システム。
【請求項８】
前記複数階を有する建物は、更に、
前記建物の各階の共用部の空調装置の動作・停止を制御する空調装置制御盤を備え、
前記複数のキー保管ボックスの各々の中、前記通用口用カードリーダがＩＤカードから読み取ったＩＤコードの登録を確認したキー保管ボックスは、前記空調装置制御盤に、前記階警戒解除セット信号を送信し、
前記空調制御盤は、
前記複数のキー保管ボックスのいずれかから、前記階警戒解除セット信号を受信すると、
前記階警戒解除セット信号を送信してきたキー保管ボックスが設置されている階の共用部の空調装置を動作状態にし、且つ、
前記各階に設けられた複数キー保管ボックスの各々は、
鍵収容部に全ての鍵が返却された状態になると、前記階警戒セット信号を前記空調装置制御盤に送信し、
前記空調装置制御盤は、前記複数キー保管ボックスのいずれかから、前記階警戒セット信号を受信すると、
前記階警戒セット信号を発信したキーボックが設けられている階の共用部に設けられた空調装置を停止状態にするようになっている、請求項１〜７のいずれかに記載の防犯監視用システム。
【請求項９】
前記複数のキー保管ボックスの各々は、
前記通用口用カードリーダから、前記通用口用カードリーダが前記ＩＤカードから読み取ったＩＤコードを受信すると、そのＩＤコードを前記複数のキー保管ボックスの各々の記憶手段に予め記憶されているＩＤコードと比較し、前記記憶手段に予め記憶されているＩＤコードが一致すると判断してから、一定時間が経過しても、前記ＩＤカードに対応する鍵収容部から鍵が取り出されないときには、再び、前記階警戒セット信号を前記空調制御盤に送信し、
前記空調制御盤は、
前記複数のキー保管ボックスのいずれかから、前記階警戒セット信号を受信すると、
前記階警戒セット信号を送信したキー保管ボックスが設けられている階の共用部に設けられた空調装置を、再び、停止状態にするようにした、請求項８に記載の防犯監視用システム。
【請求項１０】
前記複数階を有する建物は、更に、
エレベータと、
前記エレベータを制御するエレベータ制御盤とを備え、
前記複数のキー保管ボックスの各々の中、前記通用口用カードリーダから、前記通用口用カードリーダが前記ＩＤカードから読み取ったＩＤコードの登録を確認したキー保管ボックスは、前記エレベータ制御盤に、前記階警戒解除セット信号を送信し、
前記エレベータ制御盤は、
前記複数のキー保管ボックスのいずれかから、前記階警戒解除セット信号を受信すると、
前記階警戒解除セット信号を送信してきたキー保管ボックスが設置されている階にエレベータが停止できるようにし、且つ、
前記各階に設けられた複数キー保管ボックスの各々は、鍵収容部に全ての鍵が返却された状態になると、前記階警戒セット信号を前記エレベータ制御盤に送信し、
前記エレベータ制御盤は、前記複数キー保管ボックスのいずれかから、前記階警戒セット信号を受信すると、
前記階警戒セット信号を発信したキーボックが設けられている階にエレベータが停止するのを禁止するようになっている、請求項１〜９のいずれかに記載の防犯監視用システム。
【請求項１１】
前記複数のキー保管ボックスの各々は、
前記通用口用カードリーダから、前記通用口用カードリーダが前記ＩＤカードから読み取ったＩＤコードを受信すると、そのＩＤコードを前記複数のキー保管ボックスの各々の記憶手段に予め記憶されているＩＤコードと比較し、前記記憶手段に予め記憶されているＩＤコードが一致すると判断してから、一定時間が経過しても、前記ＩＤコードに対応する鍵収容部から鍵が取り出されないときには、再び、前記階警戒セット信号を前記エレベータ制御盤に送信し、
前記エレベータ制御盤は、
前記複数のキー保管ボックスのいずれかから、前記階警戒セット信号を受信すると、
前記階警戒セット信号を解除する解除信号を送信したキー保管ボックスが設けられている階にエレベータが停止できないようにした、請求項１０に記載の防犯監視用システム。
【発明の詳細な説明】
【０００１】
【発明の属する技術分野】
本発明は、防犯監視用システムに関し、特に、集合住宅やテナントビル等の複数階を有する建物の防犯装置の警戒、警戒解除を、各階毎に個別に制御できるようにした、防犯監視用システムに関する。
【０００２】
【従来の技術】
近時、集合住宅やテナントビル等の複数階を有する建物には、防犯監視用システムが設置されるようになっている。
図１５は、そのような従来の防犯監視用システムの一例を概略的に示すブロック図であり、又、図１６は、図１５に示す従来の防犯監視用システムの設置例を模式的に示す全体構成図である。
【０００３】
この防犯監視用システム１０１は、通用口用カードリーダ１０２と、建物Ｂの各部屋（この例では、テナントと図示されている。）Ｒ１１・・・の各々の鍵を保管するキー保管ボックス１０３と、建物Ｂの各階の共用部に設けられた防犯装置や、複数階を有する建物の各部屋設けられた防犯装置の動作を制御する防犯監視盤１０４とを備える。
【０００４】
尚、図１５中、１０４ａで示す部材装置は、建物Ｂの各階の共用部や各部屋設けられる防犯センサを、代表して例示的に示している。
また、１０５で示す部材装置は、建物Ｂの共用部や各部屋の照明装置を制御する照明制御盤を、１０６で示す部材装置は、建物Ｂの共用部や各部屋の空調装置を制御する空調制御盤を、１０７で示す部材装置は、建物Ｂに設置されたエレベータを、また、１０８で示す部材装置は、エレベータ１０７の昇降や停止を制御するエレベータ制御盤を、各々、示している。
【０００５】
また、１０９で示す部材装置は、防犯監視用システム１０１を動作させるための電源装置を示している。
また、１１０で示す部材装置は、カードリーダ１０２、キー保管ボックス１０３及び防犯監視盤１０４と、照明制御盤１０５、空調制御盤１０６、エレベータ制御盤１０８等との間で、多重伝送により信号のやりとりを行うインターフェース盤を示している。
【０００６】
尚、照明制御盤１０５、空調制御盤１０６、エレベータ１０７、エレベータ制御盤１０８及びインターフェース盤１１０は、建物Ｂに必要により設置されるものである。
また、本明細書では、建物Ｂのある階ｍにある部屋Ｒｍｎとして説明する。
図１７は、キー保管ボックス１０３、防犯監視盤１０４、照明制御盤１０５及び空調制御盤１０６の動作を概略的に示すタイムチャートである。
【０００７】
尚、照明制御盤１０５及び空調制御盤１０６の動作は同じであるので、図２４中では、照明制御盤１０５及び空調制御盤１０６の動作を、照明／空調制御盤の動作として表している。
まず、図１５〜図１７の各図を参照しながら、通用口用カードリーダ１０２の構成について説明する。
【０００８】
通用口用カードリーダ１０２は、建物Ｂの共用エントランス部Ｂｃの通用口の外側の、扉Ｄｅの近傍に設けられ、磁気カード等のＩＤカードを読み取る、カードリーダ１０２ａを備える。
尚、通用口の扉Ｄｅは、建物Ｂの内側からは、開閉自在にされているが、建物Ｂの外側からは、電気錠Ｋｅにより、常時、閉じた状態にされている。
【０００９】
この建物Ｂの利用者は、この建物Ｂに入る際に、自己のＩＤカードをカードリーダ１０２ａに差し込む。
カードリーダ１０２ａがＩＤカードから読み取った情報（ＩＤコード）は、キー保管ボックス１０３へ送信される。
キー保管ボックス１０３は、通用口用カードリーダ１０２から送信された、カードリーダ１０２ａがＩＤカードから読み取った情報（ＩＤコード）を受信すると、この情報（ＩＤコード）が、予め登録された情報（ＩＤコード）に一致するか否かを判断する。
【００１０】
そして、キー保管ボックス１０３は、カードリーダ１０２ａがＩＤカードから読み取った情報（ＩＤコード）が、予め登録された情報（ＩＤコード）に一致する場合には、通用口用カードリーダ１０２に、電気錠Ｋｅを解錠する信号を送信する。
通用口用カードリーダ１０２は、キー保管ボックス１０３から、電気錠Ｋｅを解錠する信号を受信すると、電気錠Ｋｅを解錠状態にする。
【００１１】
すると、扉Ｄｅが一定時間開いた状態になる。
扉Ｄｅは、一回開いた後、再び、閉じると、電気錠Ｋｅを再び施錠状態にするようになっている。
また、キー保管ボックス１０３は、カードリーダ１０２ａがＩＤカードから読み取った情報（ＩＤコード）が、予め登録された情報（ＩＤコード）に一致する場合には、防犯監視盤１０４に、共用部の防犯装置（後述する、防犯センサ１０４ａ・・・。）の警戒を解除する警戒解除信号を送信する。
【００１２】
防犯監視盤１０４は、キー保管ボックス１０３から、共用部の防犯装置（後述する、共用部の防犯センサ１０４ａ・・・。）の警戒を解除する警戒解除信号を受信すると、共用部の防犯装置（後述する、共用部の防犯センサ１０４ａ・・・。）が警戒状態になっている場合には、共用部の防犯装置（後述する、共用部の防犯センサ１０４ａ・・・。）の警戒を解除する。
【００１３】
また、この建物Ｂの全館の共用部の防犯装置（後述する、共用部の防犯センサ１０４ａ・・・。）が、既に、警戒解除状態になっている場合には、その状態を保持するようになっている。
これにより、この建物Ｂの全館の共用部の防犯装置（後述する、共用部の防犯センサ１０４ａ・・・。）が警戒解除状態になる。
【００１４】
尚、この防犯監視用システム１０１では、通用口用カードリーダ１０２のカードリーダ１０２ａにＩＤカードが差込み操作されても、一定時間（図２７に示す時間Ｔ２を参照。）内に、キー保管ボックス１０３のいずれの錠収容部Ｃ１１・・・からも鍵が取り出されなかった場合には、キー保管ボックス１０３は、防犯監視盤１０４に、いずれの錠収容部Ｃ１１・・・からも鍵が取り出されなかったという信号を送信するようになっている。そして、防犯監視盤１０４は、キー保管ボックス１０３から、いずれの錠収容部Ｃ１１・・・からも鍵が取り出されなかったという信号を受信した場合には、この建物Ｂの共用部の防犯装置（後述する、共用部の防犯センサ１０４ａ・・・。）を再び警戒状態にするようにしている。
【００１５】
更に、インターフェース盤１１０により、照明制御盤１０５、空調制御盤１０６が接続されている場合には、この建物Ｂの共用部の防犯装置（後述する、共用部の防犯センサ１０４ａ・・・。）が警戒状態になると、照明制御盤１０５は、この建物Ｂの共用部の照明器具（図示せず。）を消灯状態にし、また、空調制御盤１０６は、この建物Ｂの共用部の空調器具（図示せず。）を停止状態にするようになっている。また、この建物Ｂの共用部の防犯装置（後述する、共用部の防犯センサ１０４ａ・・・。）が警戒解除状態になると、照明制御盤１０５は、この建物Ｂの共用部の照明器具（図示せず。）を点灯状態にし、また、空調制御盤１０６は、この建物Ｂの共用部の空調器具（図示せず。）を動作状態にするようになっている。
【００１６】
次に、キー保管ボックス１０３の構成を更に詳しく説明する。
キー保管ボックス１０３は、建物Ｂの共用エントランス部Ｂｃの通用口の内側に設けらる。
図１８は、キー保管ボックス１０３の構成を概略的に説明する説明図である。このキー保管ボックス１０３は、磁気カード等のＩＤカードを読み取るカードリーダ１０３ａと、建物Ｂに設けられている全ての部屋Ｒ１１・・・に対応するように設けられた複数の鍵収容部Ｃ１１・・・と、複数の鍵収容部Ｃ１１・・・の各々に対応するように設けられた鍵保管表示部Ｌ１１・・・とを備える。
【００１７】
このキー保管ボックス１０３は、例えば、建物物Ｂのある部屋Ｒｍｎの利用者が、ある部屋Ｒｍｎを管理するＩＤカードをカードリーダ１０３ａに差し込めば、ＩＤカード（即ち、ある部屋Ｒｍｎ）に対応する鍵収容部Ｃｍｎの扉Ｃｍｎａが自動的に開くようになっている（図１９及び図２０を参照）。
また、鍵保管表示部Ｌ１１・・・の各々は、鍵収容部Ｃ１１・・・の各々に、鍵が保管されている場合には点灯し、鍵収容部Ｃ１１・・・の各々から、鍵が取り出されている場合には、消灯するようになっている。
【００１８】
例えば、図２１に示すように、鍵収容部Ｃｍｎに、鍵が保管されている場合には鍵保管表示部Ｌｍｎが点灯するようになっている。
次に、防犯装置（防犯センサ１０４ａ・・・）及び防犯監視盤１０４について説明する。
一般に、防犯センサ１０４ａ・・・の各々は、図２２に示すように、各部屋をつなぐ廊下（共用部）Ｓｃや、各部屋（この例では各部屋Ｒｍ１、Ｒｍ２、Ｒｍ３、Ｒｍ４）内に設けられている。
【００１９】
尚、図２２中、Ｄｍ１で示す部材装置は、鍵Ｋｍ１により施解錠が可能な部屋Ｒｍ１の扉を、Ｄｍ２で示す部材装置は、鍵Ｋｍ２により施解錠が可能な部屋Ｒｍ２の扉を、Ｄｍ３で示す部材装置は、鍵Ｋｍ３により施解錠が可能な部屋Ｒｍ３の扉を、又、Ｄｍ４で示す部材装置は、鍵Ｋｍ４により施解錠が可能な部屋Ｒｍ４の扉を、各々、示している。
【００２０】
また、図２３は、キー保管ボックス１０３の鍵収容部におけるある鍵（この例では、部屋Ｒｍ１の鍵Ｋｍ１）の取り出し又は返却操作に伴う、キー保管ボックス１０３の動作と、各部屋内に設けられた防犯装置（この例では、各部屋Ｒｍ１の室内に設けられている防犯センサ１０４ａ）の動作、照明制御盤１０５の動作、及び、空調制御盤１０６の動作を概略的に示すタイムチャートである。
【００２１】
尚、照明制御盤１０５及び空調制御盤１０６の動作は同じであるので、図２４中では、照明制御盤１０５及び空調制御盤１０６の動作を、照明／空調制御盤の動作として表している。
キー保管ボックス１０３の鍵収容部Ｃ１１・・・の各々に、鍵が保管されると、キー保管ボックス１０３から、鍵が収容された鍵収容部の識別番号とともに、鍵が鍵収容部に保管されたという信号が、防災監視盤１０４に送信され、防災監視盤１０４は、キー保管ボックス１０３から、鍵収容部に鍵が返却されたという信号を受信すると、鍵が返却されたという信号を発信した鍵収容部に対応する部屋の防犯センサ１０４ａを警戒状態にするようになっている。
【００２２】
例えば、図２２に示す部屋Ｒｍ１の鍵Ｋｍ１を鍵収容部Ｃｍ１に保管すると、キー保管ボックス１０３から、鍵収容部Ｃｍ１に鍵Ｋｍ１が保管されたという信号が、防災監視盤１０４に送信される。そして、防災監視盤１０４は、鍵収容部Ｃｍ１に鍵Ｋｍ１が保管されたという信号を受信すると、鍵収容部Ｃｍ１に対応する部屋Ｒｍ１を、図２４（ａ）に示すように、警戒状態にする。
【００２３】
また、鍵収容部Ｃｍ１に対応する部屋Ｒｍ１が、図２４（ａ）に示すように、警戒状態にされると、照明制御盤１０５は、部屋Ｒｍ１内の照明装置（図示せず。）が点灯している場合には、消灯するように制御する。
また、鍵収容部Ｃｍ１に対応する部屋Ｒｍ１が、図２４（ａ）に示すように、警戒状態にされると、空調制御盤１０６は、部屋Ｒｍ１内の空調装置（図示せず。）が運転状態にされている場合には、停止するように制御する。
【００２４】
また、鍵収容部Ｃｍ１に鍵Ｋｍ１が保管されると、鍵収容部Ｃｍ１に対応する鍵保管表示部（図１８に示す鍵保管表示部Ｌｍ１）が点灯するようにされている。
また、キー保管ボックス１０３の鍵収容部Ｃ１１・・・の各々から鍵が取り出されると、キー保管ボックス１０３から、鍵が取り出された鍵収容部の識別番号とともに、鍵が鍵収容部から取り出されたされたという信号が、防災監視盤１０４に送信され、防災監視盤１０４は、キー保管ボックス１０３から、鍵が鍵収容部から取り出されたという信号を受信すると、鍵が取り出されたという信号を発信した鍵収容部に対応する部屋の防犯センサ１０４ａを警戒解除状態にするようになっている。
【００２５】
例えば、図２３に示す部屋Ｒｍ１の鍵Ｋｍ１を鍵収容部Ｃｍ１から取り出すと、キー保管ボックス１０３から、鍵収容部Ｃｍ１から鍵Ｋｍ１が取り出されたという信号が、防災監視盤１０４に送信される。そして、防災監視盤１０４は、鍵収容部Ｃｍ１から鍵Ｋｍ１が取り出されたという信号を受信すると、鍵収容部Ｃｍ１に対応する部屋Ｒｍ１を、図２４（ｂ）に示すように、警戒解除状態にする。
【００２６】
また、鍵収容部Ｃｍ１に対応する部屋Ｒｍ１が、図２４（ｂ）に示すように、警戒解除状態にされると、空調制御盤１０６は、部屋Ｒｍ１内の空調装置（図示せず。）を運転するように制御する。
また、鍵収容部Ｃｍ１から鍵Ｋｍ１が取り出されると、鍵収容部Ｃｍ１に対応する鍵保管表示部（図１８に示す鍵保管表示部Ｌｍ１）を消灯するようにされている。
【００２７】
更に、この防犯監視用システム１０１では、キー保管ボックス１０３の鍵収容部Ｃ１１・・・の全てに、鍵Ｋ１１・・・・が返却されると、キー保管ボックス１０３は、防犯監視盤１０４に、所定時間（図１７に示す所定時間Ｔ１を参照。）経過後、全館の共用部の防犯装置（全館の共用部の防犯センサ１０４ａ・・・。）を警戒状態にする警戒信号を送信する。
【００２８】
防犯監視盤１０４は、キー保管ボックス１０３から、全館の共用部の防犯装置（全館の共用部の防犯センサ１０４ａ・・・。）を警戒状態にする警戒信号を受信すると、共用部の防犯装置（共用部の防犯センサ１０４ａ・・・。）を警戒状態にする。
これにより、この建物Ｂの防犯装置は、各部屋内及び全館の共用部とも、いずれも、警戒状態にされる。
【００２９】
尚、図１７には図示していないが、インターフェース盤１１０により、照明制御盤１０５や空調制御盤１０６が連動して動作するようにされている場合にあっては、全館の共用部の防犯装置（全館の共用部の防犯センサ１０４ａ・・・。）が警戒状態になると、照明制御盤１０５は、全館の共用部の照明装置（図示せず。）を消灯し、また、空調制御盤１０６は、全館の共用部の空調装置（図示せず。）を停止状態にされる。
【００３０】
次に、従来の防犯監視用システム１０１が設置された建物Ｂにおける防犯監視用システム１０１の使用例について説明する。
（退室時（退社時））
ある部屋Ｒｍｎの利用者は、利用している部屋Ｒｍｎの扉Ｄｍｎに鍵Ｋｍｎをかけて、退室する。
【００３１】
その後、ある部屋Ｒｍｎの利用者は、必要により、階段（図示せず。）やエレベータ１０７等を利用して、共用エントランス部Ｂｃの所へ行き、共用エントランス部Ｂｃに設けられているキー保管ボックス１０３のカードリーダ１０３ａに、自己のＩＤカードを差し込む。
すると、ＩＤカード（ある部屋Ｒｍｎ）に対応する鍵収容部Ｃｍｎの扉Ｃｍｎａが自動的に開くので、鍵収容部Ｃｍｎに、鍵ＫｍｎをキーホルダーＨｍｎごと収容し、扉Ｃｍｎａを閉じる。
【００３２】
この時、部屋Ｒｍｎ内の防犯センサ１０４ａは警戒状態になる。
鍵収容部Ｃｍ１から鍵Ｋｍ１が取り出されると、鍵収容部Ｃｍ１に対応する鍵保管表示部（図１８に示す鍵保管表示部Ｌｍ１）が点灯するので、ある部屋Ｒｍｎの利用者は、鍵保管表示部Ｌｍ１が点灯する確認してから、通用口の扉Ｄｅを開閉して、この建物から退出する。
【００３３】
以下、順次、部屋Ｒ１１・・・の全ての利用者が、ある部屋Ｒｍｎの利用者と同じ操作を行って退室（退社）し、キー保管ボックス１０３の鍵収容部Ｃ１１・・・に全ての鍵が返却されると、キー保管ボックス１０３から、所定時間（図１７に示す所定時間Ｔ１を参照。）経過後、防犯制御盤１０４に、全館の共用部の防犯装置（全館の共用部の防犯センサ１０４ａ・・・。）を警戒状態にする警戒信号を送信される。
【００３４】
防犯監視盤１０４は、キー保管ボックス１０３から、全館の共用部の防犯装置（全館の共用部の防犯センサ１０４ａ・・・。）を警戒状態にする警戒信号を受信すると、共用部の防犯装置（共用部の防犯センサ１０４ａ・・・。）を警戒状態にする。
更に、インターフェース盤１１０により、照明制御盤１０５、空調制御盤１０６が接続されている場合には、この建物Ｂの全館の共用部の防犯装置（後述する、共用部の防犯センサ１０４ａ・・・。）が警戒状態になると、照明制御盤１０５は、この建物Ｂの全館の共用部の照明器具（図示せず。）を消灯状態にし、また、空調制御盤１０６は、この建物Ｂの全館の共用部の空調器具（図示せず。）を停止状態にするようになっている。
（入室時（出社時））
まず、誰もいなくなった建物Ｂに、ある部屋Ｒｍｎの利用者が、例えば、次の日、最初に、この建物Ｂに出社してきた場合を説明する。
【００３５】
この場合、ある部屋Ｒｍｎの利用者は、自己のＩＤカードを、通用口用カードリーダ１０２のカードリーダ１０２ａに差し込む。
通用口用カードリーダ１０２がＩＤカードから読み取った情報（ＩＤコード）は、キー保管ボックス１０３に送信される。
キー保管ボックス１０３が、通用口用カードリーダ１０２がＩＤカードから読み取った情報（ＩＤコード）が正しいと判断すると、通用口の扉Ｄｅが開くので、ある部屋Ｒｍｎの利用者は、通用口の扉Ｄｅを通って、建物Ｂ内に入ることができる。
【００３６】
また、キー保管ボックス１０３が、通用口用カードリーダ１０２がＩＤカードから読み取った情報（ＩＤコード）がが正しいと判断すると、全館の共用部の防犯装置（防犯センサ１０４ａ・・・）が警戒解除状態になる。
また、この建物Ｂの全館の共用部の防犯装置（防犯センサ１０４ａ・・・）が警戒解除状態になると、照明制御盤１０５は、この建物Ｂの全館の共用部の照明器具（図示せず。）を点灯状態にし、また、空調制御盤１０６は、この建物Ｂの全館の共用部の空調器具（図示せず。）を動作状態にするようになっている。
【００３７】
この建物Ｂの全館の共用部の防犯装置（防犯センサ１０４ａ・・・）は、キー保管ボックス１０３が、ＩＤカードか正規のものであると判断した時点で、警戒解除状態にされているので、ある部屋Ｒｍｎの利用者が、建物Ｂ内の共用部内に入っても、防犯装置（この例では、防犯センサ１０４ａ・・・）が作動することはない。
【００３８】
また、この建物Ｂの共用部の照明装置（図示せず。）は、キー保管ボックス１０３が、ＩＤコードが正しいと判断した時点で、点灯状態になっている。
更にまた、この建物Ｂの共用部の空調装置（図示せず。）は、キー保管ボックス１０３が、ＩＤコードが正しいと判断した時点で、動作状態になっている。
その後、ある部屋Ｒｍｎの利用者は、所定時間Ｔ２内に、共用エントランス部Ｂｃの所へ行き、共用エントランス部Ｂｃに設けられているキー保管ボックス１０３のカードリーダ１０３ａに、自己のＩＤカードを差し込む。
【００３９】
すると、ＩＤカード（ある部屋Ｒｍｎ）に対応する鍵収容部Ｃｍｎの扉Ｃｍｎａが自動的に開くので、鍵収容部Ｃｍｎから、鍵Ｋｍｎを取り出し、扉Ｃｍｎａを閉じる。
この時、部屋Ｒｍｎ内の防犯センサ１０４ａは警戒解除状態になる。
そして、ある部屋Ｒｍｎの利用者は、必要により、階段やエレベータ１０７を利用して、ある部屋Ｒｍｎの扉Ｄｍｎを鍵Ｋｍｎを用いて開き、ある部屋に入室（入社）する。
【００４０】
ある利用者より遅い時間に、この建物Ｂに出社してくる利用者は、自己のＩＤカードを、通用口用カードリーダ１０２のカードリーダ１０２ａに差し込む。
キー保管ボックス１０３が、ＩＤコードが正しいと、通用口の扉Ｄｅが開くので、扉Ｄｅを通って、建物Ｂ内に入ることができる。
この建物Ｂの全館の共用部の防犯装置（この例では、防犯センサ１０４ａ・・・）は、既に、ある部屋Ｒｍｎの利用者によって、建物Ｂ内の全館の共用部の防犯装置（この例では、防犯センサ１０４ａ・・・）が警戒解除状態にされているので、利用者が、建物Ｂ内のいずれの共用部内に入っても、防犯装置（この例では、防犯センサ１０４ａ・・・）が作動することはない。
【００４１】
また、この建物Ｂの全館の共用部の照明装置（図示せず。）は、既に、点灯状態になっている。
更にまた、この建物Ｂの全館の共用部の空調装置（図示せず。）も、既に、動作状態になっている。
その後、利用者は、共用エントランス部Ｂｃの所へ行き、共用エントランス部Ｂｃに設けられているキー保管ボックス１０３のカードリーダ１０３ａに、自己のＩＤカードを差し込む。
【００４２】
すると、ＩＤカード（ある部屋Ｒ１１・・・）に対応する鍵収容部Ｃ１１・・・の扉Ｃ１１ａ・・・が自動的に開くので、鍵収容部Ｃ１１・・・から、自分の部屋Ｒ１１・・・の鍵Ｋ１１・・・を取り出し、扉Ｃ１１ａ・・・を閉じる。
この時、各々の部屋Ｒ１１・・・内の防犯センサ１０４ａ・・・は警戒解除状態になる。
【００４３】
そして、利用者は、必要により、階段やエレベータ１０７を利用して、自分の部屋Ｒ１１・・・の扉Ｄ１１・・・を鍵Ｋ１１・・・を用いて開き、自分の部屋Ｒ１１・・・に入室（入社）する。
【００４４】
【発明が解決しようとする課題】
ところで、従来の防犯監視用システム１０１には、キー保管ボックス１０３の鍵収容部Ｃ１１・・・の全てに鍵が保管された時（キー保管ボックスの鍵収容部Ｃ１１・・・に全鍵の保管成立時）にならないと、共用部の防犯装置（この例では、共用部の防犯センサ１０４ａ・・・）を警戒状態にすることができないという問題がある。
【００４５】
即ち、ある階においては、その階の利用者の全てが退出しているにもかかわらず、その階の共用部の防犯装置（この例では、共用部の防犯センサ１０４ａ・・・）を警戒状態にすることができないため、その階に関係の無い者が、その階に出入りしても、その階の共用部の防犯装置（この例では、共用部の防犯センサ１０４ａ・・・）は作動しないため、警備が十分に行えないという問題があった。
【００４６】
また、共用部の照明器具は、共用部の防犯装置（この例では、共用部の防犯センサ１０４ａ・・・）が警戒状態にならないと消灯状態にならず、同様に、共用部の空調器具も、共用部の防犯装置（この例では、共用部の防犯センサ１０４ａ・・・）が警戒状態にならないと停止状態にならないため、ある階においては、全ての利用者が退出しているにもかかわらず、その階の共用部の照明器具は点灯した状態になっており、その階の共用部の空調器具も動作状態になっており、電力が単に浪費されているに過ぎないという問題もあった。
【００４７】
更にまた、従来は、エレベータは、防犯監視用システムとは連動して動作されるようにされていないため、ある階の全ての利用者が退出しても、その階に関係の無い者が、エレベータを利用してたやすく、その階に出入りできるため、警備の万全を期し難いという問題もあった。
本発明は、以上の問題を解決するためになされたものであって、特に、複数階を有する建物の共用部の防犯装置の警戒又は警戒解除を各階毎に行うようにさせることで、各階の警備をより万全なものにした防犯監視用システム、共用部の照明器具は点灯又は消灯を各階毎に行うようにさせることで、電力の浪費を防ぐことができるようにした防犯監視用システム、更には、共用部の照明器具は点灯又は消灯を各階毎に行うようにさせることで、電力の浪費を防ぐことができるようにした防犯監視用システムを提供することを目的としている。
【００４８】
更にまた、全ての利用者が退出した階には、エレベータが停止しないようにし、その階に関係の無い者が、エレベータを利用して、自由に出入りできないようにすることで、より一層充実した警備が行えるようにした防犯監視用システムを提供することを目的としている。
【００４９】
【課題を解決するための手段】
請求項１に記載の防犯監視用システムは、複数階を有する建物の各階毎に設けられ、その階にある各部屋に対応して設けた鍵収容部と、カードリーダとを備える複数のキー保管ボックスと、建物の各階の共用部における人の出入りを監視する防犯装置の動作を制御する防犯監視盤とを接続した防犯監視用システムであって、建物の各階に設置された複数のキー保管ボックスの各々は、そのキー保管ボックスに設けられているカードリーダに読み込ませたＩＤカードの登録を確認すれば、その登録が確認されたＩＤコードに対応した鍵収容部のみ解錠させて、そのＩＤコードに対応する部屋の鍵の出し入れを可能とする一方、全ての鍵収容部に鍵が収容され施錠されたときには、防犯監視盤に、全ての鍵収容部に鍵が返却されたという階警戒セット信号を送信し、防犯監視盤は、複数のキー保管ボックスのいずれかから階警戒セット信号を受信すると、階警戒セット信号を送信したキー保管ボックスが設けられている階の共用部に設けられた防犯装置を警戒状態にするようになっている。
更に、建物の共用エントランス部に設置した通用口の扉を施解錠する通用口用カードリーダを組み合わせて構成されており、通用口用カードリーダにＩＤカードを差し込むと、そのＩＤカードから読み取られたＩＤコードが、複数のキー保管ボックスの各々に送信するようになっており、複数のキー保管ボックスの各々は、通用口用カードリーダから送信されてきた、通用口用カードリーダがＩＤカードから読み取ったＩＤコードの登録を確認し、複数のキー保管ボックスの中、その登録を確認したキー保管ボックスは、通用口用カードリーダに、電気錠解錠信号を送信し、通用口用カードリーダは、複数のキー保管ボックスのいずれかから、電気錠解錠信号を受信すると、共用エントランス部の通用口に設けられた扉を解錠するとともに、通用口用カードリーダがＩＤカードから読み取ったＩＤコードが、予め登録されたＩＤコードに一致すると判断したキー保管ボックスは、防犯監視盤に、階警戒セット信号を解除する階警戒解除セット信号を送信し、防犯監視盤は、複数のキー保管ボックスのいずれかから、階警戒解除セット信号を受信すると、階警戒解除セット信号を送信したキー保管ボックスが設けられている階の共用部に設けられた防犯装置を警戒解除状態にするようになっている。
【００５０】
この防犯監視用システムでは、複数階を有する建物の各階毎に、キー保管ボックスを設ける構成にし、各階毎に設けられたキー保管ボックスにより、その階の共用部の防犯装置の警戒と解除とを行えるようにしている。
これにより、ある階の全ての利用者が退出すると、その階の共用部の防犯装置を警戒状態にできる。このため、たとえ、建物のその他の階には利用者がいたとしても、全ての利用者が退出した階の共用部の防犯装置は警戒状態にされているため、その階に関係の無い者が侵入すると、直ちに、その者を検知できる。
また、「キー保管ボックスが設けられている階の共用部」中の「共用部」は、各階の利用者のみが利用する共用部を意味し、複数階の利用者が共通して使用する共用部、即ち、共用エントランス部は除かれる。また、共用エントランス部に設けられる防犯装置の動作は、以下の動作をするようになっている。
即ち、共用エントランス部に設けられる防犯装置は、建物の通用口用カードリーダに最初に利用者が正規のＩＤカードを差し込んで、そのＩＤコードが、複数階の各々に設けられたカードボックスのいずれかにより、正規のものであると判断されると、警戒解除状態になり、複数階の各々に設けられたカードボックスの全ての鍵収容部に鍵が返却されたら、警戒状態になるようにされている。
この防犯監視用システムでは、各階の共用部の防犯装置は、各階の利用者の中、この建物の通用口用カードリーダに、最初に、ＩＤカードを差し込んだ場合に、初めて、警戒解除状態になる。これにより、他の階の利用者が、既に、この建物内に入っても、誰一人として入っていない階の共用部の防犯装置は、依然として、警戒状態になっているため、その階に関係の無い者が、その階に入ると、防犯装置により検知されることになる。
【００５１】
請求項２に記載の防犯監視用システムは、請求項１に記載の防犯監視用システムの、各階に設けられた複数キー保管ボックスの各々は、全ての鍵収容部に鍵が返却された状態になると、階警戒セット信号を、所定時間経過してから、防犯監視盤に送信するようになっている。
各階に設けられた複数キー保管ボックスの各々が、鍵収容部に全ての鍵が返却された状態になると、直ちに、鍵収容部に全ての鍵が返却されたという信号を、防犯監視盤に送信し、防犯監視盤が、鍵収容部に全ての鍵が返却されたという信号を発信したキー保管ボックスが設けられている階の共用部の防犯装置を直ちに警戒状態にしてしまうと、その階で、最後に、その階に設けられているキー保管ボックスの鍵収容部に鍵を返却した者が、防犯装置によって検知され、防犯警報が発令されてしまうという問題がある。
【００５２】
この防犯監視用システムでは、各階に設けられた複数キー保管ボックスの各々は、鍵収容部に全ての鍵が返却された状態になると、鍵収容部に全ての鍵が返却されたという信号を、所定時間経過してから、防犯監視盤に送信するようにしている。これにより、ある階で、最後に、その階に設けられているキー保管ボックスの鍵収容部に鍵を返却した者が、防犯装置によって検知され、防犯警報が発令されてしまうことを防ぐことができる。
【００５７】
この結果、各階毎の警備を一層充実したものにできる。請求項３に記載の防犯監視用システムは、複数のキー保管ボックスの各々は、通用口用カードリーダから、通用口用カードリーダがＩＤカードから読み取ったＩＤコードを受信すると、そのＩＤコードを複数のキー保管ボックスの各々の記憶手段に予め記憶されているＩＤコードと比較し、記憶手段に予め記憶されているＩＤコードが一致すると判断してから、一定時間が経過しても、ＩＤコードに対応する鍵収容部から鍵が取り出されないときには、再び、階警戒セット信号を防犯監視盤に送信し、防犯監視盤は、複数のキー保管ボックスのいずれかから、階警戒セット信号を受信すると、階警戒セット信号を送信したキー保管ボックスが設けられている階の共用部に設けられた防犯装置を、再び、警戒状態にするようにした。
【００５８】
この防犯監視用システムでは、ある階の共用部の防犯装置が警戒解除状態にされてから、一定時間経過しても、その階のキー保管ボックスの鍵収容部から鍵が一つも取り出されない場合には、その階の共用部の防犯装置を再び警戒状態にしている。
これにより、その階には、実際には誰もいないのに、その階の共用部の防犯装置がいつまでも警戒解除状態になっているというゆゆしき事態が生じるのを防ぐことができる。
【００５９】
請求項４に記載の防犯監視用システムは、通用口用カードリーダに、複数階を有する建物の各階に対応させた、複数階を有する建物の各階の共用部の防犯装置の各々の動作状態を表示する表示部を設けた。この防犯監視用システムでは、通用口用カードリーダに、複数階を有する建物の各階の共用部の防犯装置の動作状態を表示する表示部を設けているので、利用者は、通用口用カードリーダに、ＩＤカードを差し込む際に、その利用者が利用している部屋のある階に、他の利用者が既に来ているか否かを知ることができる。
【００６０】
また、請求項３に記載の防犯監視用システムにあっては、ある階の部屋の利用者であって、その階に最初に行く人に、一定時間内に、その階のキー保管ボックスから自己の鍵を取り出す必要があるという注意を促すことができる。
請求項５に記載の防犯監視用システムは、防犯監視盤が、更に、建物の各部屋に設けられた防犯装置の警戒、警戒解除の設定制御ができるようにされており、複数のキー保管ボックスの各々は、各々に設けられているカードリーダにＩＤカードを差し込むことで読み取られたＩＤコードの登録が確認された後、所定時間内に、対応する鍵収容部を解錠させて鍵が取り出されると、ＩＤコードに対応する鍵収容部から鍵が取り出されたという個別警戒解除セット信号を防犯監視盤に送信し、且つ、各々に設けられている鍵収容部に鍵が返却されると、鍵収容部に鍵が返却されたという個別警戒セット信号を防犯監視盤に送信し、防犯監視盤は、複数のキー保管ボックスのいずれから、個別警戒解除セット信号を受信すると、鍵が取り出された鍵収容部に対応する部屋の防犯装置を警戒解除状態にし、複数のキー保管ボックスのいずれかから、個別警戒セット信号を受信すると、鍵が返却された鍵収容部に対応する部屋の防犯装置を警戒状態にする。
【００６１】
この防犯監視用システムでは、各階に設けられたキー保管ボックスで、各部屋の防犯装置の警戒又は警戒解除ができるようにしている。
これにより、従来の共用エントランス部に設けられたキー保管ボックスで、各部屋の防犯装置の警戒又は警戒解除ができるようにした従来の防犯監視用システムに比べ、利用者の移動に要する時間分だけ速く、各部屋の防犯装置の警戒が行える。
【００６２】
請求項６に記載の防犯監視用システムは、複数階を有する建物が、更に、建物の各階の共用部の照明装置の点灯・消灯を制御する照明装置制御盤を備え、複数のキー保管ボックスの各々の中、通用口用カードリーダから、通用口用カードリーダがＩＤカードから読み取ったＩＤコードの登録を確認したキー保管ボックスは、照明装置制御盤に、階警戒解除セット信号を送信し、照明装置制御盤は、複数のキー保管ボックスのいずれかから、階警戒解除セット信号を受信すると、階警戒解除セット信号を送信してきたキー保管ボックスが設置されている階の共用部の照明装置を点灯し、且つ、各階に設けられた複数キー保管ボックスの各々は、全ての鍵収容部に鍵が返却された状態になると、階警戒セット信号を照明装置制御盤に送信し、照明装置制御盤は、複数キー保管ボックスのいずれかから、階警戒セット信号を受信すると、階警戒セット信号を発信したキーボックが設けられている階の共用部に設けられた照明装置を消灯状態にするようになっている。
【００６３】
この防犯監視用システムでは、共用部の防犯装置が各階毎に警戒状態になると、これに対応して、共用部の防犯装置が警戒状態になった階の共用部の照明装置を消灯するようにしているので、誰もいない階の共用部の照明装置がいつまでも点灯しているという、電力の浪費を防ぐことができる。
請求項７に記載の防犯監視用システムは、複数のキー保管ボックスの各々が、通用口用カードリーダから、通用口用カードリーダがＩＤカードから読み取ったＩＤコードを受信すると、そのＩＤコードを複数のキー保管ボックスの各々の記憶手段に予め記憶されているＩＤコードと比較し、記憶手段に予め記憶されているＩＤコードが一致すると判断してから、一定時間が経過しても、ＩＤコードに対応する鍵収容部から鍵が取り出されないときには、再び、階警戒セット信号を照明装置制御盤に送信し、照明制御盤は、複数のキー保管ボックスのいずれかから、階警戒セット信号を受信すると、階警戒セット信号を送信したキー保管ボックスが設けられている階の共用部に設けられた照明装置を、再び、消灯状態にするようにした。
【００６４】
この防犯監視用システムでは、ある階の共用部の防犯装置が警戒解除状態にされると、その階の共用部の照明装置を点灯状態にしているが、一定時間経過しても、その階のキー保管ボックスの鍵収容部から鍵が一つも取り出されない場合に、その階共用部の防犯装置が再び警戒状態になると、これに連動して、その階に共用部の照明装置を消灯するようにしている。
【００６５】
これにより、その階には、実際には誰もいないのに、その階の共用部の照明装置がいつまでも点灯状態になっているという電力の無駄が生じるのを防ぐことができる。
請求項８に記載の防犯監視用システムは、複数階を有する建物が、更に、建物の各階の共用部の空調装置の動作・停止を制御する空調装置制御盤を備え、複数のキー保管ボックスの各々の中、通用口用カードリーダがＩＤカードから読み取ったＩＤコードの登録を確認したキー保管ボックスは、空調装置制御盤に、階警戒解除セット信号を送信し、空調制御盤は、複数のキー保管ボックスのいずれかから、階警戒解除セット信号を受信すると、階警戒解除セット信号を送信してきたキー保管ボックスが設置されている階の共用部の空調装置を動作状態にし、且つ、各階に設けられた複数キー保管ボックスの各々は、鍵収容部に全ての鍵が返却された状態になると、階警戒セット信号を空調装置制御盤に送信し、空調装置制御盤は、複数キー保管ボックスのいずれかから、階警戒セット信号を受信すると、階警戒セット信号を発信したキーボックが設けられている階の共用部に設けられた空調装置を停止状態にするようになっている。
【００６６】
この防犯監視用システムでは、共用部の防犯装置が各階毎に警戒状態になると、これに対応して、共用部の防犯装置が警戒状態になった階の共用部の空調装置を停止するようにしているので、誰もいない階の共用部の空調装置がいつまでも動作しているという、電力の浪費を防ぐことができる。
請求項９に記載の防犯監視用システムは、複数のキー保管ボックスの各々が、通用口用カードリーダから、通用口用カードリーダがＩＤカードから読み取ったＩＤコードを受信すると、そのＩＤコードを複数のキー保管ボックスの各々の記憶手段に予め記憶されているＩＤコードと比較し、記憶手段に予め記憶されているＩＤコードが一致すると判断してから、一定時間が経過しても、ＩＤカードに対応する鍵収容部から鍵が取り出されないときには、再び、階警戒セット信号を空調制御盤に送信し、空調制御盤は、複数のキー保管ボックスのいずれかから、階警戒セット信号を受信すると、階警戒セット信号を送信したキー保管ボックスが設けられている階の共用部に設けられた空調装置を、再び、停止状態にするようにした。
【００６７】
この防犯監視用システムでは、ある階の共用部の防犯装置が警戒解除状態にされると、その階の共用部の空調装置を動作状態にしているが、一定時間経過しても、その階のキー保管ボックスの鍵収容部から鍵が一つも取り出されない場合に、その階共用部の防犯装置が再び警戒状態になると、これに連動して、その階に共用部の空調装置を停止するようにしている。
【００６８】
これにより、その階には、実際には誰もいないのに、その階の共用部の空調装置がいつまでも動作状態になっているという電力の無駄が生じるのを防ぐことができる。
請求項１０に記載の防犯監視用システムは、複数階を有する建物が、更に、エレベータと、エレベータを制御するエレベータ制御盤とを備え、複数のキー保管ボックスの各々の中、通用口用カードリーダから、通用口用カードリーダがＩＤカードから読み取ったＩＤコードの登録を確認したキー保管ボックスは、エレベータ制御盤に、階警戒解除セット信号を送信し、エレベータ制御盤は、複数のキー保管ボックスのいずれかから、階警戒解除セット信号を受信すると、階警戒解除セット信号を送信してきたキー保管ボックスが設置されている階にエレベータが停止できるようにし、且つ、各階に設けられた複数キー保管ボックスの各々は、鍵収容部に全ての鍵が返却された状態になると、階警戒セット信号をエレベータ制御盤に送信し、エレベータ制御盤は、複数キー保管ボックスのいずれかから、階警戒セット信号を受信すると、階警戒セット信号を発信したキーボックが設けられている階にエレベータが停止するのを禁止するようになっている。
【００６９】
この防犯監視用システムでは、共用部の防犯装置が警戒状態になっている階には、エレベータが停止できないようにしている。これにより、誰もいない階に、その階に関係の無い者が、エレベータを利用して、侵入することを防ぐことができる。
請求項１１に記載の防犯監視用システムは、複数のキー保管ボックスの各々が、通用口用カードリーダから、通用口用カードリーダがＩＤカードから読み取ったＩＤコードを受信すると、そのＩＤコードを複数のキー保管ボックスの各々の記憶手段に予め記憶されているＩＤコードと比較し、記憶手段に予め記憶されているＩＤコードが一致すると判断してから、一定時間が経過しても、ＩＤコードに対応する鍵収容部から鍵が取り出されないときには、再び、階警戒セット信号をエレベータ制御盤に送信し、エレベータ制御盤は、複数のキー保管ボックスのいずれかから、階警戒セット信号を受信すると、階警戒セット信号を解除する解除信号を送信したキー保管ボックスが設けられている階にエレベータが停止できないようにした。
【００７０】
この防犯監視用システムでは、ある階の共用部の防犯装置が警戒解除状態にされると、その階にエレベータが停止できるようにしているが、一定時間経過しても、その階のキー保管ボックスの鍵収容部から鍵が一つも取り出されない場合に、その階共用部の防犯装置が再び警戒状態になると、これに連動して、その階にエレベータが停止できないようにしている。
【００７１】
これにより、その階には、実際には誰もいないのに、その階に関係の無い者が、エレベータを利用して、侵入することを防ぐことができる。
【００７２】
【発明の実施の形態】
以下、図面を参照しながら、本発明に係る防犯監視用システムを、更に、詳しく説明する。
図１は、本発明に係る防犯監視用システムの一例を概略的に示すブロック図であり、又、図２は、図１に示す防犯監視用システムの内部構成を模式的に示すブロック図である。
【００７３】
この防犯監視用システム１は、図１及び図２に示すように、通用口用カードリーダ２と、複数のキー保管ボックス３Ａ、３Ｂ、・・・、３Ｍ、・・・と、建物Ｂの各階の共用部に設けられた防犯装置や、複数階を有する建物の各部屋設けられた防犯装置の動作を制御する防犯監視盤４とを備える。
尚、図１中、４ａで示す部材装置は、建物Ｂの各階の共用部や各部屋に設けられる防犯センサを、代表して例示的に示している。
【００７４】
また、５で示す部材装置は、建物Ｂの各階の共用部や各部屋内の照明装置を制御する照明制御盤を、６で示す部材装置は、建物Ｂの各階の共用部や各部屋の空調装置を制御する空調制御盤を、また、８で示す部材装置は、エレベータ（図７示すエレベータ７を参照。）の昇降や停止を制御するエレベータ制御盤を、各々、示している。
【００７５】
尚、ここでいう、「各階の共用部」は、各階に部屋を持っている利用者だけが共有して使用する場所をいい、複数階の利用者が、共有して使用する場所、例えば、建物Ｂの共用エントランス部Ｂｃは除かれ、共用エントランス部Ｂｃに設けられる防犯装置は、各階の共用部に設けられる防犯装置と別動作するようにされている。
【００７６】
また、９で示す部材装置は、防犯監視用システム１を動作させるための電源装置を示している。
また、図１中、１０で示す部材装置は、カードリーダ２、複数のキー保管ボックス３Ａ、３Ｂ、３Ｃ及び防犯監視盤４と、照明制御盤５、空調制御盤６、エレベータ制御盤８等との間で、多重伝送により信号のやりとりを行うインターフェース盤を示している。
【００７７】
この防犯監視用システム１では、通用口用カードリーダ２の構成や、複数のキー保管ボックス３Ａ、３Ｂ、・・・、３Ｍ、・・・の各々を各階に１台ずつ設置した点に特徴がある。
図３は、通用口用カードリーダ２の外観構成を概略的に示す外観構成図である。
【００７８】
また、図４及び図５は、通用口用カードリーダ２、ある階ｍに設置されたキー保管ボックス３Ｍの動作を概略的に示すタイムチャートである。
このタイムチャートは、この建物Ｂの利用者が、ある部屋からの退室（退出）する際と、入室（出社時）する際の操作による、カードリーダ２、複数のキー保管ボックス３Ａ、３Ｂ、・・・、３Ｍ、・・・の中、キー保管ボックス３Ｍ及び防犯監視盤４の動作とを示している。
【００７９】
尚、照明制御盤５及び空調制御盤６の動作は、ある階ｍの防犯センサ４ａ・・・が警戒状態になると、各々、停止状態になるようにされており、また、ある階ｍの防犯センサ４ａ・・・が警戒解除状態になると、各々、動作状態になるようにされているので、ここでは、図示するのを省略する。
以上の図面を適宜参照しながら、まず、通用口用カードリーダ２の構成について説明する。
【００８０】
通用口用カードリーダ２は、図１に示すように、建物Ｂの共用エントランス部Ｂｃの通用口の外側の、扉Ｄｅの近傍に設けられ、磁気カード等のＩＤカードを読み取る、カードリーダ２ａを備える。
通用口用カードリーダ２は、図３に示すように、各階の共用部の防犯装置（この例では、各階の共用部に設けられている防犯装置）の動作状態を、各階毎に表示する表示部１１と、ＩＤカードが適正であれば点灯するようにされたカード適正時点灯灯１２Ａと、ＩＤカードが不正の場合に点灯するようにされたＩＤカード不適正時点灯灯１２Ｂとを備える。
【００８１】
尚、図２中、２ｂで示す部材装置は、通用口用カードリーダ２の全体を制御する制御部を、また、２ｃで示す部材装置は、複数のキー保管ボックス３Ａ、３Ｂ、・・・、３Ｍ、・・・との間で、信号の送受信を行う通信制御部を示している。
また、１２Ｃで示す部材装置は、カード適正時点灯灯１２Ａ及びＩＤカード不適正時点灯灯１２Ｂの各々の点灯、消灯を制御する制御部を示している。
【００８２】
この建物Ｂの利用者は、この建物Ｂに入る際に、自己のＩＤカードをカードリーダ２ａに差し込むようにされている。
カードリーダ２ａがＩＤカードから読み取った情報（ＩＤコード）は、複数のキー保管ボックス３Ａ、３Ｂ、・・・３Ｍ、・・・の全てへ送信される。
図６は、この防犯監視システム１で用いるＩＤカードの構成を概略的に示す説明図である。
【００８３】
このＩＤカード１３は、磁気ストライプ部１４を備える。
磁気ストライプ部１４は、始まり符号１４ａ、キー保管ボックスコード１４ｂ、個人コード１４ｃ、終わり符号１４ｄ、誤り検出符号１４ｅを備える。
キー保管ボックスコード１４ｂは、各階に設けられるキー保管ボックス３Ａ、３Ｂ、・・・、３Ｍ、・・・の各々のＩＤコードのいずれかが記憶されている。
【００８４】
尚、このキー保管ボックスコード１４ｂは、建物Ｂの複数階のいずれか一つの階を特定するコードでもある。
個人コード１４ｃは、利用者が利用する部屋Ｒ１１・・・のアドレスが記憶される。
尚、この個人コード１４ｃは、複数のキー保管ボックス３Ａ、３Ｂ、・・・、３Ｍ、・・・の各々の鍵収容部Ｃ１１・・・、Ｃ２１・・・、・・・、ＣＭ１・・・、・・・の各々に設けられた扉を開くコードでもある。
【００８５】
複数のキー保管ボックス３Ａ、３Ｂ、・・・、３Ｍ、・・・の各々は、通用口用カードリーダ２のカードリーダ２ａがＩＤカード１３から読み取った情報（ＩＤコード）が、各々に、予め登録された情報（ＩＤコード）と一致するかどうかを比較する。
そして、複数のキー保管ボックス３Ａ、３Ｂ、３Ｍ、・・・の中、通用口用カードリーダ２のカードリーダ２ａがＩＤカード１３から読み取った情報（ＩＤコード）が、予め登録された情報（ＩＤコード）と一致したキー保管ボックスは、通用口用カードリーダ２に、電気錠Ｋｅを解錠する電気錠解錠信号を送信する。
【００８６】
この例では、通用口用カードリーダ２は、電気錠解錠信号を受信すると、カード適正時点灯灯１２Ａを一定時間点灯し、その後、消灯するようになっている。そして、通用口用カードリーダ２は、複数のキー保管ボックス３Ａ、３Ｂ、・・・、３Ｍ、・・・のいずれかから、電気錠Ｋｅを解錠する電気錠解錠信号を受信すると、電気錠Ｋｅを解錠状態にする。
【００８７】
すると、通用口の扉Ｄｅが一定時間開いた状態になる。
扉Ｄｅは、一回開いた後、再び、閉じると、電気錠Ｋｅを再び施錠状態（オートロック）になっている。
尚、通用口の扉Ｄｅは、建物Ｂの内側からは、開閉自在にされているが、建物Ｂの外側からは、電気錠Ｋｅにより、常時、閉じた状態にされている。
【００８８】
また、複数のキー保管ボックス３Ａ、３Ｂ、・・・、３Ｍ、・・・の中、通用口用カードリーダ２から送信されてきた、通用口用カードリーダ２が、ＩＤカードから読み取った情報（ＩＤコード）が、予め登録された情報（ＩＤコード）に一致すると判断したキー保管ボックスは、防犯監視盤４に、そのキー保管ボックスの鍵収容部に全ての鍵が返却されたという信号（階警戒セット信号。図４及び図５中に示す「全保管信号」、以下、全保管信号という。）を解除する解除信号を、キー保管ボックスのアドレスとともに、送信するようになっている。
【００８９】
防犯監視盤４は、複数のキー保管ボックス３Ａ、３Ｂ、・・・、３Ｍ、・・・のいずれかから、キー保管ボックスの鍵収容部に全ての鍵が返却されたという信号（全保管信号）を解除する解除信号を受信すると、鍵収容部に全ての鍵が返却されたという信号（全保管信号）を解除する解除信号を送信したキー保管ボックスが設けられている階の共用部に設けられた防犯装置が警戒状態になっている場合には、これらの防犯装置の警戒を解除するようになっている。
【００９０】
次に、防犯装置（防犯センサ１０４ａ・・・）及び防犯監視盤１０４について説明する。
図７は、ある階ｍに設けられているキー保管ボックス３Ｍ、防犯装置（この例では、防犯センサ４ａ・・・）を概略的に示す平面図である。
図７を参照しながら説明すると、ある階ｍに設けられているキー保管ボックス３Ｍが、通用口用カードリーダ２から送信されてきた、通用口用カードリーダ２が、ＩＤカードから読み取った情報（ＩＤコード）が、予め登録された情報（ＩＤコード）に一致すると判断した場合には、キー保管ボックス３Ｍは、防犯監視盤４に、階警戒セット信号、即ち、キー保管ボックス３Ｍの鍵収容部に全ての鍵が返却されたという信号（全保管信号）を解除する解除信号を、キー保管ボックス３Ｍのアドレスとともに、送信する。
【００９１】
防犯監視盤４は、キー保管ボックス３Ｍから、キー保管ボックス３Ｍの鍵収容部に全ての鍵が返却されたという信号（全保管信号）を解除する解除信号を受信すると、キー保管ボックス３Ｍが設けられている階ｍの共用部（図７に示す共用部Ｓｃ）に設けられた防犯装置（この例では、防犯センサ４ａ・・・）が警戒状態になっている場合には、これらの防犯装置（この例では、防犯センサ４ａ・・・）の警戒を解除するようになっている。
【００９２】
尚、既に、キー保管ボックス３Ｍが設けられている階ｍの共用部Ｓｃに設けられた防犯装置（この例では、防犯センサ４ａ・・・）が警戒解除状態になっている場合には、防犯監視盤４は、キー保管ボックス３Ｍが設けられている階ｍの共用部Ｓｃに設けられた防犯装置（この例では、防犯センサ４ａ・・・）は、警戒解除状態を維持するようにされている。
【００９３】
また、複数のキー保管ボックス３Ａ、３Ｂ、・・・、３Ｍ、・・・のいずれの中にも、通用口用カードリーダ２から送信されてきた、通用口用カードリーダ２が、ＩＤカードから読み取った情報（ＩＤコード）が、予め登録された情報（ＩＤコード）に一致しない場合には、複数のキー保管ボックス３Ａ、３Ｂ、・・・、３Ｍ、・・・の各々から、予め登録された情報（ＩＤコード）に一致しない旨の信号が、通用口用カードリーダ２に送信される。
【００９４】
通用口用カードリーダ２は、複数のキー保管ボックス３Ａ、３Ｂ、・・・、３Ｍ、・・・の全てから、予め登録された情報（ＩＤコード）に一致しない旨の信号を受信すると、ＩＤカード不適正時点灯灯１２Ｂを一定時間点灯させた後、消灯する。そして、この場合には、電気錠Ｋｅは、施錠状態に保持される。
尚、この防犯監視用システム１では、通用口用カードリーダ２のカードリーダ２ａにＩＤカードが差込み操作されても、一定時間（図４及び図５に示す時間Ｔ１を参照。）内に、キー保管ボックス３Ｍの錠収容部Ｃｍ１・・・のいずれからも鍵が取り出されなかった場合には、キー保管ボックス３Ｍは、防犯監視盤４に、キー保管ボックス３Ｍに設けられたいずれの錠収容部Ｃｍ１・・・からも鍵が取り出されなかったという信号を送信するようになっている。そして、防犯監視盤４は、キー保管ボックス３Ｍから、いずれの錠収容部Ｃ１１・・・からも鍵が取り出されなかったという信号を受信した場合には、この建物Ｂのある階ｍの共用部の防犯装置（後述する、共用部の防犯センサ４ａ・・・。）を再び警戒状態にするようにしている。
【００９５】
更に、インターフェース盤１０により、照明制御盤５、空調制御盤６が接続されている場合には、この建物Ｂのある階ｍの共用部の防犯装置（共用部Ｓｃの防犯センサ４ａ・・・。）が警戒状態になると、照明制御盤５は、キー保管ボックスＭから、階警戒セット信号（全保管信号）を受信すると、この建物Ｂのある階ｍの共用部の照明器具（図示せず。）を消灯状態にし、また、空調制御盤６は、キー保管ボックスＭから、階警戒セット信号（全保管信号）を受信すると、ここの建物Ｂのある階ｍの共用部の空調器具（図示せず。）を停止状態にするようになっている。
【００９６】
また、この建物Ｂの共用部の防犯装置（後述する、共用部の防犯センサ４ａ・・・。）が警戒解除状態になると、照明制御盤５は、キー保管ボックスＭから、階警戒解除セット信号（全保管信号を解除する解除信号）を受信すると、この建物Ｂの共用部の照明器具（図示せず。）を点灯状態にし、また、空調制御盤６は、この建物Ｂの共用部の空調器具（図示せず。）を動作状態にするようになっている。
【００９７】
次に、建物Ｂの各階に一台ずつ設置されている、複数のキー保管ボックス３Ａ、３Ｂ、・・・、３Ｍ、・・・の各々の構成について更に詳しく説明する。
図８は、キー保管ボックス３Ｍの構成を概略的に示す外観構成図である。
尚、キー保管ボックス３Ａ、３Ｂ、・・・、３Ｍ、・・・の各々の構成は、いずれも、同様であるので、以下の説明では、ある階ｍに設置されているキー保管ボックス３Ｍについてのみ説明する。
【００９８】
このキー保管ボックス３Ｍは、図８に示すように、磁気カード等のＩＤカード１３を読み取るカードリーダ３ａと、建物Ｂのある階ｍに設けられている各部屋Ｒｍ１・・・に対応するように設けられた複数の鍵収容部Ｃｍ１・・・と、複数の鍵収容部Ｃｍ１・・・の各々に対応するように設けられた鍵保管表示部Ｌｍ１・・・とを備える。
【００９９】
鍵収容部Ｃｍ１・・・の各々は、各々から、鍵が取り出されると、各々のＩＤコードとともに、防犯監視盤４に、鍵が取り出された鍵収容部のＩＤコードとともに、鍵が取り出されたという信号（個別警戒解除セット信号）を送信するようになっている。
また、鍵収容部Ｃｍ１・・・の各々は、各々に、鍵が返却されると、各々のＩＤコードとともに、防犯監視盤４に、鍵が返却されたという信号（個別警戒セット信号）を送信するようになっている。
【０１００】
また、キー保管ボックス３Ｍは、全ての鍵収容部Ｃｍ１・・・に鍵が収容された状態になると、全ての鍵収容部に鍵が返却されたという階警戒セット信号（全保管信号）を防犯監視盤４に送信するようになっている。
また、キー保管ボックス３Ｍは、通用口用カードリーダ２がＩＤカードから読み取ったＩＤコードが登録されていると判断した後、一定時間（Ｔ１）経過しても、いずれの鍵収容部からも鍵が取り出されなかった場合には、階警戒セット信号（全保管信号）を防犯監視盤４に送信するようになっている。
【０１０１】
また、例えば、建物物Ｂのある階ｍに設けられている部屋Ｒｍｎの利用者が、ある部屋Ｒｍｎを管理するＩＤカードを、キー保管ボックス３Ｍのカードリーダ３ａに差し込めば、ＩＤカード（即ち、ある部屋Ｒｍｎ）１３に対応する鍵収容部Ｃｍｎの扉Ｃｍｎａが自動的に開くようになっており（図９及び図１０を参照）、利用者が、扉Ｃｍｎａを再び閉じるとオートロックがされるようにされている。
【０１０２】
即ち、ＩＤカード１３を、キー保管ボックス３Ｍのカードリーダ３ａに差し込めば、ＩＤカード（即ち、ある部屋Ｒｍｎ）１３に対応する鍵収容部Ｃｍｎの扉Ｃｍｎａが自動的に開くようになっている（図９及び図１０を参照）。
これにより、図９（ａ）に示すように、鍵収容部Ｃｍｎから鍵Ｋｍｎが既に取り出されている場合には、鍵収容部Ｃｍｎに鍵ＫｍｎをキーホルダーＨｍｎごと返却し、扉Ｃｍｎａを閉じたり（図９（ｂ）を参照。）、又、図１０（ａ）に示すように、鍵収容部Ｃｍｎに鍵Ｋｍｎが保管されている場合には、鍵収容部Ｃｍｎから鍵Ｋｍｎを取り出したりすることができるようになっている（図１０（ｂ）を参照。）。
【０１０３】
尚、この例では、鍵収容部Ｃｍ１・・・の各々は、キーホルダー収容部Ｈｍ１ａ、・・・、Ｈｍｎａ、・・・の奥に、常時オフ型のスイッチ素子が収容されており、キーホルダー収容部Ｈｍ１ａ、・・・、Ｈｍｎａ、・・・の各々内に、キーホルダーＨｍ１、・・・、Ｈｍｎ、・・・が収容されると、スイッチ素子がオンになるので、鍵収容部Ｃｍ１・・・の各々内に、鍵Ｋｍ１、・・・、Ｋｍｎ、・・・が収容されたことが判るようになっている。
【０１０４】
また、鍵保管表示部Ｌｍ１・・・の各々は、鍵収容部Ｃｍ１・・・の各々に、鍵が保管されている場合には点灯し、鍵収容部Ｃｍ１・・・の各々から、鍵Ｋｍ１、・・・、Ｋｍｎ、・・・が取り出されている場合には、消灯するようになっている。
例えば、図１１に示すように、鍵収容部Ｃｍｎに、鍵Ｋｍｎが保管されている場合には鍵保管表示部Ｌｍｎが点灯するようになっている。
【０１０５】
また、鍵収容部Ｃｍｎから鍵Ｋｍｎが取り出されている場合には、鍵保管表示部Ｌｍｎが消灯するようになっている。
次に、防犯装置（この例では、防犯センサ４ａ・・・）及び防犯監視盤４について説明する。
一般に、防犯センサ４ａは、図７に示示したように、各部屋をつなぐ廊下（共用部）Ｓｃや、各部屋（この例では各部屋Ｒｍ１、Ｒｍ２、Ｒｍ３、Ｒｍ４）内に設けられている。
【０１０６】
ある階ｍのキー保管ボックス３Ｍの鍵収容部Ｃｍ１・・・の各々に、鍵Ｋｍ１、Ｋｍ２、Ｋｍ３、Ｋｍ４のいずれかが保管されると、キー保管ボックス３Ｍから、鍵が収容された鍵収容部のアドレスとともに、鍵が鍵収容部に保管されたという信号（個別警戒セット信号）が、防災監視盤４に送信される。
防災監視盤４は、キー保管ボックス３Ｍから、鍵収容部に鍵が返却されたという信号を受信すると、鍵が返却されたという信号を発信した鍵収容部に対応する部屋の防犯センサ４ａを警戒状態にするようになっている。
【０１０７】
例えば、図１２に示すある部屋Ｒｍ１の鍵Ｋｍ１を鍵収容部Ｃｍ１に保管すると、キー保管ボックス３Ｍから、鍵収容部Ｃｍ１に鍵Ｋｍ１が保管されたという信号が、防災監視盤４に送信される。
防災監視盤４は、鍵収容部Ｃｍ１に鍵Ｋｍ１が保管されたという信号（個別警戒セット信号）を受信すると、鍵収容部Ｃｍ１に対応する部屋Ｒｍ１を、図１２に示すように、警戒状態にする。
【０１０８】
また、キー保管ボックス３Ｍの鍵収容部Ｃｍ１・・・の各々から鍵が取り出されると、キー保管ボックス３Ｍから、鍵が取り出された鍵収容部のＩＤコードとともに、鍵が鍵収容部から取り出されたされたという信号（個別警戒セット信号）が、防災監視盤４に送信され、防災監視盤４は、キー保管ボックス３Ｍから、鍵が鍵収容部から取り出されたという信号（個別警戒セット信号）を受信すると、鍵が取り出されたという信号（個別警戒セット信号）を発信した鍵収容部に対応する部屋の防犯センサ４ａを警戒解除状態にするようになっている。
【０１０９】
例えば、図１３に示す部屋Ｒｍ１の鍵Ｋｍ１を鍵収容部Ｃｍ１から取り出すと、キー保管ボックス３Ｍから、鍵収容部Ｃｍ１から鍵Ｋｍ１が取り出されたという信号（個別警戒解除セット信号）が、防災監視盤４に送信される。
防災監視盤４は、鍵収容部Ｃｍ１から鍵Ｋｍ１が取り出されたという信号（個別警戒解除セット信号）を受信すると、鍵収容部Ｃｍ１に対応する部屋Ｒｍ１を、図１３に示すように、警戒解除状態にする。
【０１１０】
そして、キー保管ボックス３Ｍの鍵収容部Ｃｍ１・・・の全てに、鍵Ｋｍ１・・・・が返却されると、キー保管ボックス３Ｍは、全ての鍵収容部に鍵が返却されたという、階警戒セット信号（全保管信号）を、犯監視盤４に、所定時間（図５に示す所定時間Ｔ１を参照。）経過後、送信する。
防犯監視盤４は、キー保管ボックス３Ｍから、階警戒セット信号（全保管信号）を受信すると、ある階ｍの共用部の防犯装置（ある階ｍの共用部の防犯センサ４ａ・・・。）のみを警戒状態にする。
【０１１１】
これにより、この建物Ｂのある階ｍの防犯装置だけが、各部屋及び共用部とも、いずれも、警戒状態になる。
尚、インターフェース盤１０により、照明制御盤５や空調制御盤６が連動して動作するようにされている場合にあっては、照明制御盤５は、キー保管ボックス３Ｍから、階警戒セット信号（全保管信号）を受信すると、ある階ｍの共用部の照明装置（図示せず。）を消灯し、また、空調制御盤６は、キー保管ボックス３Ｍから、階警戒セット信号（全保管信号）を受信すると、ある階ｍの共用部の空調装置（図示せず。）を停止状態にする。
【０１１２】
尚、建物Ｂの共用エントランス部Ｂｃに設けられる防犯装置、照明装置、及び、空調装置は、複数のキー保管ボックス３Ａ、３Ｂ、・・・、３Ｍ、・・・のいずれかが、通用口用カードリーダ２のカードリーダ２ａがＩＤカード１３から読み込んだ情報（ＩＤコード）が、予め登録された情報（ＩＤコード）に一致すると最初に判断した時から、防犯装置は警戒解除状態にされ、照明装置は点灯状態にされ、且つ、空調装置は、動作状態にされる。
【０１１３】
また、建物Ｂの共用エントランス部Ｂｃに設けられる防犯装置、照明装置、及び、空調装置は、複数のキー保管ボックス３Ａ、３Ｂ、・・・、３Ｍ、・・・の全てから、全保管信号を、防犯監視盤４が受信した後、一定時間経過後に、防犯装置は警戒状態にされ、照明装置は消灯状態にされ、且つ、空調装置は、停止状態にされる。
【０１１４】
次に、この防犯監視用システム１が設置された建物Ｂにおける防犯監視用システム１の使用例について説明する。
（退室時（退社時））
ある部屋Ｒｍｎの利用者は、利用している部屋Ｒｍｎの扉Ｄｍｎに鍵Ｋｍｎをかけて、退室する。
【０１１５】
その後、ある部屋Ｒｍｎの利用者は、ある階ｍに設けられているキー保管ボックス３Ｍのカードリーダ３ａに、自己のＩＤカードを差し込む。
すると、ＩＤカード（ある部屋Ｒｍｎ）に対応する鍵収容部Ｃｍｎの扉Ｃｍｎａが自動的に開くので、鍵収容部Ｃｍｎに、鍵ＫｍｎをキーホルダーＨｍｎごと収容し、扉Ｃｍｎａを閉じる。
【０１１６】
この時、部屋Ｒｍｎ内の防犯センサ４ａは警戒状態になる。
そして、ある部屋Ｒｍｎの利用者は、階段やエレベータ等を利用して通用口の扉Ｄｅを開閉して、この建物から退出する。
以下、順次、ある階ｍにある部屋Ｒｍ１・・・の全ての利用者が、ある部屋Ｒｍｎの利用者と同じ操作を行って退室（退社）し、キー保管ボックス３Ｍの鍵収容部Ｃｍ１・・・に全ての鍵が返却されると、この建物Ｂでは、所定時間Ｔ１経過後ある階ｍの共用部の防犯装置（ある階ｍの共用部Ｓｃの防犯センサ４ａ・・・）が警戒状態にされる。
【０１１７】
更に、この防犯監視用システム１では、インターフェース盤１０により、照明制御盤５、空調制御盤６を接続し、ある階ｍの共用部Ｓｃに設置されている防犯装置（ある階ｍの共用部Ｓｃの防犯センサ４ａ・・・）が警戒又は警戒解除状態に対応して、ある階ｍの共用部Ｓｃに設置されている照明装置（図示せず。）、ある階ｍの共用部Ｓｃに設置されている空調装置（図示せず。）を制御するようにしているので、ある階ｍの共用部Ｓｃに設置されている防犯装置（ある階ｍの共用部Ｓｃの防犯センサ４ａ・・・）が警戒になると、ある階ｍの共用部Ｓｃに設置されている照明装置（図示せず。）が消灯し、ある階ｍの共用部Ｓｃに設置されている空調装置（図示せず。）が停止する。
【０１１８】
以下、他の階の利用者が同様の操作手順で退出すると、複数の階の中、利用者の全員が退出した階から、順次、その階の共用部Ｓｃに設けられた防犯装置が全て警戒状態になり、その階の共用部Ｓｃに設置されている照明装置（図示せず。）が消灯し、ある階ｍの共用部Ｓｃに設置されている空調装置（図示せず。）が停止する。
【０１１９】
そして、建物Ｂ内から全ての利用者が退出した状態になると、建物Ｂの全部屋及び全館の共用部の防犯装置が全て警戒状態になる。
且つ、建物Ｂ内から全ての利用者が退出した状態になると、建物Ｂの全部屋及び全館の共用部の照明装置が消灯し、建物Ｂの全部屋及び全館の共用部の空調装置が停止した状態になる。
（入室時（出社時））
まず、誰もいなくなった建物Ｂに、ある階ｍの部屋Ｒｍｎの利用者が、例えば、次の日、最初に、この建物Ｂに出社してきた場合を説明する。
【０１２０】
この場合、ある部屋Ｒｍｎの利用者は、自己のＩＤカード１３を、通用口用カードリーダ２のカードリーダ２ａに差し込む。
この通用口用カードリーダ２には、表示部１１が設けられているので、この利用者は、ある階ｍのランプが点灯し、この階ｍの共用部Ｓｃの防犯装置（この例では、防犯センサ４ａ・・・）が警戒状態になっていることを知ることができる。  そして、この利用者は、自分が、ある階ｍの部屋Ｒｍｎの他の利用者より先にこの建物Ｂに出社したことを知ることができる。
【０１２１】
通用口用カードリーダ２がＩＤカード１３から読み取った情報（ＩＤコード）は、複数のキー保管ボックス３Ａ、３Ｂ、・・・、３Ｍ、・・・の全てに送信される。
この例では、ある階ｍに設置されているキー保管ボックス３Ｍが、通用口用カードリーダ２がＩＤカード１３から読み取った情報（ＩＤコード）が正しいと判断し、通用口の扉Ｄｅが開くので、ある部屋Ｒｍｎの利用者は、通用口の扉Ｄｅを通って、建物Ｂ内に入ることができる。
【０１２２】
この場合、建物Ｂの共用エントランス部Ｂｃの防犯装置は、キー保管ボックス３Ｍが、通用口用カードリーダ２がＩＤカード１３から読み取った情報（ＩＤコード）が正しいと判断した時点で、警戒解除状態にされ、且つ、ある階ｍの共用部Ｓｃの防犯装置（この例では、ある階ｍの共用部Ｓｃの防犯センサ４ａ・・・）も警戒解除状態にされているので、ある部屋Ｒｍｎの利用者は、建物Ｂ内の共用エントランス部Ｂｃ及びある階ｍの共用部内に入っても、防犯装置（この例では、防犯センサ４ａ・・・）が作動することはない。
【０１２３】
また、この建物Ｂの共用エントランス部Ｂｃの防犯装置（図示せず。）、及び、ある階ｍの共用部の照明装置（図示せず。）は、キー保管ボックス３Ｍが、ＩＤコードが正しいと判断した時点で、点灯状態になっている。
更にまた、この建物Ｂの共用エントランス部Ｂｃの空調装置（図示せず。）、及び、ある階ｍの共用部の空調装置（図示せず。）は、キー保管ボックス３Ｍが、ＩＤコードが正しいと判断した時点で、動作状態になっている。
【０１２４】
その後、ある部屋Ｒｍｎの利用者は、所定時間Ｔ２以内内に、ある階ｍに設置されているキー保管ボックス３Ｍのカードリーダ３ａに、自己のＩＤカードを差し込んで、ＩＤカード（ある部屋Ｒｍｎ）に対応する鍵収容部Ｃｍｎの扉Ｃｍｎａが自動的に開いたら、鍵収容部Ｃｍｎから、鍵Ｋｍｎを取り出すという操作をする。
【０１２５】
鍵収容部Ｃｍｎから鍵Ｋｍｎを取り出し操作を終了すると、扉Ｃｍｎａを閉じる。
この時、部屋Ｒｍｎ内の防犯センサ４ａは警戒解除状態になる。
また、このようにして、所定時間Ｔ２以内内に、鍵収容部Ｃｍｎから、鍵Ｋｍｎを取り出し操作を終了すれば、ある階ｍの共用部Ｓｃの防犯装置（この例では、防犯センサ４ａ・・・）は、警戒解除状態に維持される。
【０１２６】
一方、この利用者が、所定時間Ｔ２以内に、鍵収容部Ｃｍｎから、鍵Ｋｍｎを取り出し操作を終了しない場合には、所定時間Ｔ２経過後、ある階ｍの共用部Ｓｃの防犯装置（この例では、防犯センサ４ａ・・・）は、警戒状態に切り換るので、この利用者が、所定時間Ｔ２以内に、鍵収容部Ｃｍｎから、鍵Ｋｍｎを取り出し操作を終了しない場合には、全保管信号を解除する解除信号が、防犯監視盤４に送信される。したがって、ある階ｍの共用部Ｓｃにいる場合には、ある階ｍの共用部Ｓｃの防犯装置（この例では、防犯センサ４ａ・・・）が警戒状態になるので、防犯装置（この例では、防犯センサ４ａ・・・）によって検知され、警戒警報が発令されることになる。
【０１２７】
また、ある階ｍの共用部Ｓｃの防犯装置（この例では、防犯センサ４ａ・・・）は、警戒状態に切り換ると、これに連動して、ある階ｍの共用部Ｓｃの照明装置（図示せず。）が消灯し、ある階ｍの共用部Ｓｃの空調装置（図示せず。）が停止する。
ある部屋Ｒｍｎの利用者は、所定時間Ｔ２以内に、鍵収容部Ｃｍｎから、鍵Ｋｍｎを取り出し操作を終了した場合には、ある部屋Ｒｍｎの扉Ｄｍｎを鍵Ｋｍｎを用いて開き、ある部屋Ｒｍｎに入室（出社）する。
【０１２８】
ある部屋Ｒｍｎ内の防犯装置（この例では、防犯センサ４ａ）は、鍵収容部Ｃｍｎから鍵Ｋｍｎを取り出した時点から、警戒解除状態になっているので、この部屋Ｒｍｎの利用者が、ある部屋Ｒｍｎに入室（出社）しても、部屋Ｒｍｎ内の防犯装置（この例では、防犯センサ４ａ）から警戒警報が発令されることはない。
【０１２９】
また、ある部屋Ｒｍｎ内の照明装置（図示せず。）は、鍵収容部Ｃｍｎから鍵Ｋｍｎを取り出した時点から、点灯するようにされているので、後は、室内の照明スイッチにより、ある部屋Ｒｍｎ内の照明装置（図示せず。）を希望通りに点灯・消灯できる。
また、ある部屋Ｒｍｎ内の空調装置（図示せず。）は、鍵収容部Ｃｍｎから鍵Ｋｍｎを取り出した時点から、運転するようにされているので、後は、室内の空調スイッチにより、ある部屋Ｒｍｎ内の空調装置（図示せず。）を希望通りに運転・停止できる。
【０１３０】
上記した、ある利用者以降にこの建物Ｂに出社してくる利用者は、上記の利用者と同様に操作手順で、自分の部屋に防犯装置により検知されることなく入室できる。
そして、各々の階の利用者が、この建物Ｂ内に最初に入る順番に、利用者が入った階の共用部の防犯装置（図示せず。）が警戒解除状態になり、これに連動して、利用者が入った階の共用部の照明装置（図示せず。）が点灯し、且つまた、利用者が入った階の共用部の空調装置（図示せず。）が運転状態になっていく。
【０１３１】
尚、ある階ｍに設けられている部屋の利用者であって、２番目以降の人は、上記の利用者と同様に操作手順で、自分の部屋に防犯装置により検知されることなく入室できるが、この防犯監視用システム１では、通用口用カードリーダ２に各階の共用部の防犯装置の動作状態が表示部１１に表示されているので、表示部１１のある階ｍの表示部が既に消灯している場合には、通用口用カードリーダ２のカードリーダ２ａに自己ＩＤのカードを差し込む際に、既に、ある階ｍに利用者が入室（出社）していることを知ることができる。
【０１３２】
この場合、この利用者は、ある階ｍに設置されているキー保管ボックス３Ｍの鍵収容部から自己の鍵を所定時間Ｔ２内に取り出す必要はない。
また、図１４は、エレベータ７の制御をもするようにした、本発明に係る防犯監視用システムの動作を概略的に示すタイムチャートである。
この例では、複数のキー保管ボックス３Ａ、３Ｂ、・・・、３Ｍ、・・・の各々の中、通用口用カードリーダ２から、通用口用カードリーダ２がＩＤカードから読み取った情報（ＩＤコード）が、予め登録された情報（ＩＤコード）に一致すると判断したカードボックス（この例では、キー保管ボックス３Ｍとする。）は、エレベータ制御盤８に、階警戒解除セット信号（全保管信号を解除する解除信号）を送信する。
【０１３３】
エレベータ制御盤８は、キー保管ボックス３Ｍから、階警戒解除セット信号（全保管信号を解除する解除信号）を受信すると、この階警戒解除セット信号（全保管信号を解除する解除信号）を送信してきたキー保管ボックス３Ｍが設置されている階にエレベータ７が停止できるようにする。
また、各階に設けられた複数キー保管ボックス３Ａ、３Ｂ、・・・、３Ｍ、・・・の各々は、鍵収容部に全ての鍵が返却された状態になると、階警戒セット信号（全保管信号）をエレベータ制御盤８に送信する。
【０１３４】
エレベータ制御盤８は、複数キー保管ボックスの３Ａ、３Ｂ、・・・、３Ｍ、・・・のいずれかから、階警戒セット信号（全保管信号）を受信すると、階警戒セット信号（全保管信号）を発信したキーボック（この例では、キー保管ボックス３Ｍ）が設けられている階ｍにエレベータ７が停止するのを禁止するようになっている。
【０１３５】
更に、複数のキー保管ボックス３Ａ、３Ｂ、・・・、３Ｍ、・・・の各々は、通用口用カードリーダ２から、通用口用カードリーダ２がＩＤカードから読み取った情報（ＩＤコード）を受信すると、その情報（ＩＤコード）を複数のキー保管ボックス３Ａ、３Ｂ、・・・、３Ｍ、・・・の各々の記憶手段に予め記憶されている情報（ＩＤコード）と比較し、記憶手段に予め記憶されている情報（ＩＤコード）が一致すると判断してから、一定時間が経過しても、ＩＤカードに対応する鍵収容部から鍵が取り出されないときには、再び、階警戒セット信号（全保管信号）をエレベータ制御盤８に送信するようになっている。
【０１３６】
そして、エレベータ制御盤８は、複数のキー保管ボックスのいずれかから、階警戒セット信号（全保管信号）を受信すると、階警戒セット信号（全保管信号）を送信したキー保管ボックス（この例では、キー保管ボックス３Ｍ）が設けられている階ｍにエレベータが停止できないようにしている。
この防犯監視用システム１では、複数階を有する建物Ｂの各階毎に、キー保管ボックス３Ａ、３Ｂ、・・・、３Ｍ、・・・を設ける構成にし、各階毎に設けられたキー保管ボックス３Ａ、３Ｂ、・・・、３Ｍ、・・・により、各々の階の共用部の防犯装置（この例では、各階の共用部に設けられた防犯センサ４ａ・・・）を、階別に、警戒と解除とに制御できるようにしている。
【０１３７】
これにより、ある階（例えば、ある階ｍ）の全ての利用者が退出すると、その階（この例では、ある階ｍ）の共用部の防犯装置（この例では、各階の共用部に設けられた防犯センサ４ａ・・・）のみを警戒状態にできる。このため、建物Ｂのその他の階には利用者がいても、全ての利用者が退出した階（この例では、ある階ｍ）は、その階（この例では、ある階ｍ）の共用部の防犯装置（この例では、ある階ｍの共用部に設けられた防犯センサ４ａ・・・）が警戒状態にされているため、その階（この例では、ある階ｍ）の共用部に、その階に関係の無い者が侵入すると、防犯装置により、直ちに、その者を検知できる。
【０１３８】
また、防犯監視用システム１では、各階に設けられた複数キー保管ボックス３Ａ、３Ｂ、・・・、３Ｍ、・・・にの各々は、鍵収容部に全ての鍵が返却された状態になると、鍵収容部に全ての鍵が返却されたという信号を、所定時間Ｔ２を経過してから、防犯監視盤４に送信するようにしている。これにより、ある階で、最後に、その階に設けられているキー保管ボックスの鍵収容部に鍵を返却した者が、共用部の防犯装置によって検知され、防犯警報が発令されてしまうことを防ぐことができる。
【０１３９】
また、この防犯監視用システム１では、各階の共用部の防犯装置は、各々、各階の利用者の中、この建物Ｂの通用口用カードリーダ２に、最初に、ＩＤカードを差し込んだ場合に、初めて、警戒解除状態になる。
これにより、他の階の利用者が、既に、この建物Ｂ内に入っても、ある階の利用者が、依然として、誰一人として、この建物Ｂ内に入っていない場合には、利用者が誰一人として来ていない、ある階の共用部の防犯装置は警戒状態になっているため、その階に関係の無い者が、その階に入ると、共用部の防犯装置により検知されることになる。
【０１４０】
この結果、各階毎の警備を一層充実したものにできる。
更に、この防犯監視用システム１では、ある階の共用部の防犯装置が警戒解除状態にされてから、一定時間Ｔ１を経過しても、その階のキー保管ボックスの鍵収容部から鍵が一つも取り出されない場合には、その階の共用部の防犯装置を再び警戒状態にしている。
【０１４１】
これにより、その階には、実際には誰もいないのに、その階の共用部の防犯装置がいつまでも警戒解除状態になっているというゆゆしき事態が生じるのを防ぐことができる。
更にまた、防犯監視用システム１では、通用口用カードリーダ２に、複数階を有する建物Ｂの各階の共用部の防犯装置の動作状態を表示する表示部１１を設けているので、利用者は、通用口用カードリーダ２に、ＩＤカードを差し込む際に、その利用者が利用している部屋のある階に、他の利用者が既に来ているか否かを知ることができる。また、ある階の部屋の利用者であって、その階に最初に行く人に、一定時間内に、その階のキー保管ボックスから自己の鍵を取り出す必要があるという注意を促すことができる。
【０１４２】
また、防犯監視用システム１では、各階に設けられたキー保管ボックス３Ａ、３Ｂ、・・・、３Ｍ、・・・の各々で、キー保管ボックス３Ａ、３Ｂ、・・・、３Ｍ、・・・の各々が設置されている階の各部屋の防犯装置の警戒又は警戒解除ができるようにしている。
これにより、従来の共用エントランス部Ｂｃに設けられたキー保管ボックス１０３で、各部屋Ｒ１１・・・の防犯装置の警戒又は警戒解除ができるようにした従来の防犯監視用システム１０１に比べ、利用者の移動に要する時間分だけ速く、各部屋の防犯装置の警戒が行える。
【０１４３】
また、この防犯監視用システム１では、共用部の防犯装置が各階毎に警戒状態になると、これに対応して、共用部の防犯装置が警戒状態になった階の共用部の照明装置を消灯するようにしているので、誰もいない階の共用部の照明装置がいつまでも点灯しているという、電力の浪費を防ぐことができる。
更にまた、防犯監視用システム１では、ある階の共用部の防犯装置が警戒解除状態にされると、その階の共用部の照明装置を点灯状態にしているが、一定時間経過しても、その階のキー保管ボックスの鍵収容部から鍵が一つも取り出されない場合に、その階共用部の防犯装置が再び警戒状態になると、これに連動して、その階に共用部の照明装置を消灯するようにしている。
【０１４４】
これにより、その階には、実際には誰もいないのに、その階の共用部の照明装置がいつまでも点灯状態になっているという電力の無駄が生じるのを防ぐことができる。
更に、この防犯監視用システム１では、共用部の防犯装置が各階毎に警戒状態になると、共用部の防犯装置が警戒状態になった階の共用部の空調装置を停止するようにしているので、誰もいない階の共用部の空調装置がいつまでも動作しているという、電力の浪費を防ぐことができる。
【０１４５】
更に、この防犯監視用システム１では、ある階の共用部の防犯装置が警戒解除状態にされると、その階の共用部の空調装置を動作状態にしているが、一定時間経過しても、その階のキー保管ボックスの鍵収容部から鍵が一つも取り出されない場合に、その階共用部の防犯装置が再び警戒状態になると、これに連動して、その階に共用部の空調装置を停止するようにしている。
【０１４６】
これにより、その階には、実際には誰もいないのに、その階の共用部の空調装置がいつまでも動作状態になっているという電力の無駄が生じるのを防ぐことができる。
また、エレベータ７の制御をも行えるようにした防犯監視用システム１では、共用部の防犯装置が警戒状態になっている階には、エレベータ７が停止できないようにしている。
【０１４７】
これにより、誰もいない階に、その階に関係の無い者が、エレベータ７を利用して、侵入することを防ぐことができる。
更に、この防犯監視用システム１では、ある階の共用部の防犯装置が警戒解除状態にされると、その階にエレベータ７が停止できるようにしているが、一定時間経過しても、その階のキー保管ボックスの鍵収容部から鍵が一つも取り出されない場合に、その階共用部の防犯装置が再び警戒状態になると、これに連動して、その階にエレベータが停止できないようにしている。
【０１４８】
これにより、その階には、実際には誰もいないのに、その階に関係の無い者が、エレベータ７を利用して、侵入することを防ぐことができる。
【０１４９】
【発明の効果】
以上、詳細に説明したように、請求項１に記載の防犯監視用システムでは、複数階を有する建物の各階毎に、キー保管ボックスを設ける構成にし、各階毎に設けられたキー保管ボックスにより、その階の共用部の防犯装置の警戒と解除とを行えるようにしている。
【０１５０】
これにより、ある階の全ての利用者が退出すると、その階の共用部の防犯装置を警戒状態にできる。このため、たとえ、建物のその他の階には利用者がいたとしても、全ての利用者が退出した階の共用部の防犯装置は警戒状態にされているため、その階に関係の無い者が侵入すると、直ちに、その者を検知できる。
また、各階の共用部の防犯装置は、各階の利用者の中、この建物の通用口用カードリーダに、最初に、ＩＤカードを差し込んだ場合に、初めて、警戒解除状態になる。これにより、他の階の利用者が、既に、この建物内に入っていたとしても、誰一人として入っていない階の共用部の防犯装置は、依然として、警戒状態になっているため、その階に関係の無い者が侵入すると、その階の共用部に設置されている防犯装置により検知されることになる。この結果、各階毎の警備を一層充実したものにできる。
請求項２に記載の防犯監視用システムでは、各階に設けられた複数キー保管ボックスの各々は、鍵収容部に全ての鍵が返却された状態になると、鍵収容部に全ての鍵が返却されたという信号を、所定時間経過してから、防犯監視盤に送信するようにしている。これにより、ある階で、最後に、その階に設けられているキー保管ボックスの鍵収容部に鍵を返却した者が、防犯装置によって検知され、防犯警報が発令されてしまうことを防ぐことができる。
【０１５２】
請求項３に記載の防犯監視用システムでは、ある階の共用部の防犯装置が警戒解除状態にされてから、一定時間経過しても、その階のキー保管ボックスの鍵収容部から鍵が一つも取り出されない場合には、その階の共用部の防犯装置を再び警戒状態にしている。
【０１５３】
これにより、その階には、実際には誰もいないのに、その階の共用部の防犯装置がいつまでも警戒解除状態になっているというゆゆしき事態が生じるのを防ぐことができる。
請求項４に記載の防犯監視用システムでは、通用口用カードリーダに、複数階を有する建物の各階の共用部の防犯装置の動作状態を表示する表示部を設けているので、利用者は、通用口用カードリーダに、ＩＤカードを差し込む際に、その利用者が利用している部屋のある階に、他の利用者が既に来ているか否かを知ることができる。
【０１５４】
請求項５に記載の防犯監視用システムでは、各階に設けられたキー保管ボックスで、各部屋の防犯装置の警戒又は警戒解除ができるようにしている。
これにより、従来の共用エントランス部に設けられたキー保管ボックスで、各部屋の防犯装置の警戒又は警戒解除ができるようにした従来の防犯監視用システムに比べ、利用者の移動に要する時間分だけ速く、各部屋の防犯装置の警戒が行える。
【０１５５】
請求項６に記載の防犯監視用システムでは、共用部の防犯装置が各階毎に警戒状態になると、これに対応して、共用部の防犯装置が各階毎に警戒状態になった階の共用部の照明装置を消灯するようにしているので、誰もいない階の共用部の照明装置がいつまでも点灯しているという、電力の浪費を防ぐことができる。
請求項７に記載の防犯監視用システムでは、ある階の共用部の防犯装置が警戒解除状態にされると、その階の共用部の照明装置を点灯状態にしているが、一定時間経過しても、その階のキー保管ボックスの鍵収容部から鍵が一つも取り出されない場合に、その階共用部の防犯装置が再び警戒状態になると、これに連動して、その階に共用部の照明装置を消灯するようにしている。
【０１５６】
これにより、その階には、実際には誰もいないのに、その階の共用部の照明装置がいつまでも点灯状態になっているという電力の無駄が生じるのを防ぐことができる。
請求項８に記載の防犯監視用システムでは、共用部の防犯装置が各階毎に警戒状態になると、これに対応して、共用部の防犯装置が警戒状態になった階の共用部の空調装置を停止するようにしているので、誰もいない階の共用部の空調装置がいつまでも動作しているという、電力の浪費を防ぐことができる。
【０１５７】
請求項９に記載の防犯監視用システムでは、ある階の共用部の防犯装置が警戒解除状態にされると、その階の共用部の空調装置を動作状態にしているが、一定時間経過しても、その階のキー保管ボックスの鍵収容部から鍵が一つも取り出されない場合に、その階共用部の防犯装置が再び警戒状態になると、これに連動して、その階に共用部の空調装置を停止するようにしている。
【０１５８】
これにより、その階には、実際には誰もいないのに、その階の共用部の空調装置がいつまでも動作状態になっているという電力の無駄が生じるのを防ぐことができる。
請求項１０に記載の防犯監視用システムでは、共用部の防犯装置が警戒状態になっている階には、エレベータが停止できないようにしている。
【０１５９】
これにより、誰もいない階に、その階に関係の無い者が、エレベータを利用して、侵入することを防ぐことができる。
請求項１１に記載の防犯監視用システムでは、ある階の共用部の防犯装置が警戒解除状態にされると、その階にエレベータが停止できるようにしているが、一定時間経過しても、その階のキー保管ボックスの鍵収容部から鍵が一つも取り出されない場合に、その階共用部の防犯装置が再び警戒状態になると、これに連動して、その階にエレベータが停止できないようにしている。
【０１６０】
これにより、その階には、実際には誰もいないのに、その階に関係の無い者が、エレベータを利用して、侵入することを防ぐことができる。
【図面の簡単な説明】
【図１】本発明に係る防犯監視用システムの一例を概略的に示すブロック図である。
【図２】図１に示す防犯監視用システムの内部構成を模式的に示すブロック図である。
【図３】通用口用カードリーダの外観構成を概略的に示す外観構成図である。
【図４】通用口用カードリーダ、ある階に設置されたキー保管ボックスの動作を概略的に示すタイムチャートである。
【図５】通用口用カードリーダ、ある階に設置されたキー保管ボックスの動作を概略的に示すタイムチャートである。
【図６】本発明に係る防犯監視システムで用いるＩＤカードの構成を概略的に示す説明図である。
【図７】ある階に設けられているキー保管ボックス、防犯装置を概略的に示す平面図である。
【図８】ある階に設けられたキー保管ボックスの構成を概略的に示す外観構成図である。
【図９】ある階に設けられたキー保管ボックスの鍵収容部の動作を説明する説明図であり、図９（ａ）は、鍵収容部から鍵が既に取り出されている状態を、また、図９（ｂ）は、鍵収容部に鍵を返却した状態を、各々、示している。
【図１０】ある階に設けられたキー保管ボックスの鍵収容部の動作を説明する説明図であり、図１０（ａ）は、鍵収容部に鍵が収容されている状態を、また、図１０（ｂ）は、鍵収容部から鍵を取り出した状態を、各々、示している。
【図１１】ある階に設けられたキー保管ボックスの鍵保管表示部の動作を概略的に説明する説明図である。
【図１２】ある階が、警戒状態になった状態を説明する摸式的な平面図である。
【図１３】ある部屋が、警戒解除状態になった状態を説明する摸式的な平面図である。
【図１４】エレベータの制御をもするようにした、本発明に係る防犯監視用システムの動作を概略的に示すタイムチャートである。
【図１５】従来の防犯監視用システムの一例を概略的に示すブロック図である。
【図１６】図１５に示す従来の防犯監視用システムの設置例を模式的に示す全体構成図である。
【図１７】従来の防犯監視用システムのキー保管ボックス、防犯監視盤、照明制御盤及び空調制御盤の動作を概略的に示すタイムチャートである。
【図１８】従来の防犯監視用システムの共用エントランス部に１台設けられるキー保管ボックスの構成を概略的に説明する説明図である。
【図１９】従来の防犯監視用システムの共用エントランス部に１台設けられるキー保管ボックスの鍵収容部の動作を説明する説明図であり、図１９（ａ）は、鍵収容部から鍵が既に取り出されている状態を、また、図１９（ｂ）は、鍵収容部に鍵を返却した状態を、各々、示している。
【図２０】従来の防犯監視用システムの共用エントランス部に１台設けられるキー保管ボックスの鍵収容部の動作を説明する説明図であり、図２０（ａ）は、鍵収容部に鍵が収容されている状態を、また、図２０（ｂ）は、鍵収容部から鍵を取り出した状態を、各々、示している。
【図２１】従来の防犯監視用システムの共用エントランス部に１台設けられるキー保管ボックスの鍵保管表示部の動作を概略的に説明する説明図である。
【図２２】従来の防犯監視用システムの、ある階に設けられている防犯装置を概略的に示す平面図である。
【図２３】従来の防犯監視用システムの共用エントランス部に１台設けられるキー保管ボックスの鍵収容部におけるある鍵の取り出し又は返却操作に伴う、キー保管ボックスの動作と、各部屋内に設けられた防犯装置の動作、照明制御盤の動作、及び、空調制御盤の動作を概略的に示すタイムチャートである。
【図２４】ある部屋の防犯装置の動作を説明する説明図であり、図２４（ａ）は、ある部屋の防犯装置が警戒状態になった様子を示す図であり、また、図２４（Ｂ）は、ある部屋の防犯装置が警戒解除状態になった様子を示す図である。
【符号の説明】
１  防犯監視用システム
２  通用口用カードリーダ
２ａ、３ａ  カードリーダ
３Ａ、３Ｂ、３Ｍ  キー保管ボックス
４ａ  防犯装置（防犯センサ）
４  防犯監視盤
５  照明制御盤
６  空調制御盤
７  エレベータ
８  エレベータ制御盤
９  電源装置
１０  インターフェース盤
ｍ  ある階
Ｄｅ  通用口の扉
Ｋｅ  通用口の扉の電気錠
Ｃ１１、Ｃ２１、Ｃｍ１、Ｃｍｎ  鍵収容部
Ｃｍｎａ  鍵収容部の扉
Ｒ１１、Ｒｍ１、Ｒｍ２、Ｒｍ３、Ｒｍ４  ある階に設けられている部屋
Ｄ１１、Ｄｍ１、Ｄｍ２、Ｄｍ３、Ｄｍ４  ある階に設けられているの部屋の扉
Ｋｍ１、Ｋｍ２、Ｋｍ３、Ｋｍ４  ある階に設けられている部屋の扉を開閉する鍵
【図１】
0004186274.tif 000002
【図２】
0004186274.tif 000003
【図３】
0004186274.tif 000004
【図４】
0004186274.tif 000005
【図５】
0004186274.tif 000006
【図６】
0004186274.tif 000007
【図７】
0004186274.tif 000008
【図８】
0004186274.tif 000009
【図９】
0004186274.tif 000010
【図１０】
0004186274.tif 000011
【図１１】
0004186274.tif 000012
【図１２】
0004186274.tif 000013
【図１３】
0004186274.tif 000014
【図１４】
0004186274.tif 000015
【図１５】
0004186274.tif 000016
【図１６】
0004186274.tif 000017
【図１７】
0004186274.tif 000018
【図１８】
0004186274.tif 000019
【図１９】
0004186274.tif 000020
【図２０】
0004186274.tif 000021
【図２１】
0004186274.tif 000022
【図２２】
0004186274.tif 000023
【図２３】
0004186274.tif 000024
【図２４】
0004186274.tif 000025